(57)【要約】【課題】例えば、携帯型電子機器に対する充電を不要とする。【解決手段】携帯型電子機器は、例えば、信号処理部と、信号処理部に対してコントロール信号を供給するコントローラと、電力としての電気信号を生成し、生成する電気信号を信号処理部に供給する発電部とを備える。【選択図】図２
2013027253.tif 000002
【特許請求の範囲】
【請求項１】
信号処理部と、
前記信号処理部に対してコントロール信号を供給するコントローラと、
電力としての電気信号を生成し、前記生成する電気信号を前記信号処理部に供給する発電部と
を備える携帯型電子機器。
【請求項２】
前記発電部が生成する前記電気信号によって、前記コントロール信号が形成される請求項１に記載の携帯型電子機器。
【請求項３】
前記発電部は、足を踏み込む動作と、足を持ち上げる動作とからなる足踏み動作に応じて前記電気信号を生成する請求項１に記載の携帯型電子機器。
【請求項４】
少なくとも前記発電部が靴に装着される請求項１に記載の携帯型電子機器。
【請求項５】
前記信号処理部は、コンテンツを再生する処理を行い、前記発電部の発電状況に応じて前記再生するコンテンツを選択する請求項１に記載の携帯型電子機器。
【請求項６】
前記信号処理部は、コンテンツを再生する処理を行い、前記発電部の発電状況に応じて前記コンテンツの再生態様を変化させる請求項１に記載の携帯型電子機器。
【請求項７】
コンテンツを再生する処理を行う信号処理部と、
電力としての電気信号を生成し、前記電気信号を蓄電部に供給する発電部と
を備え、
前記信号処理部は、前記蓄電部の残容量に応じて前記コンテンツの再生態様を変化させる携帯型電子機器。
【請求項８】
前記発電部が生成する前記電気信号によって、前記信号処理部に対するコントロール信号が形成される請求項７に記載の携帯型電子機器。
【請求項９】
信号処理部と、コントローラと、発電部とを備える携帯型電子機器における信号処理方法であり、
前記コントローラから出力されるコントロール信号が前記信号処理部に供給され、
前記発電部によって生成される電力としての電気信号が、前記信号処理部に供給される信号処理方法。
【請求項１０】
信号処理部によってコンテンツを再生し、
発電部によって電力としての電気信号を生成し、前記電気信号を蓄電部に供給し、
前記蓄電部の残容量に応じて、前記コンテンツの再生態様を変化させる再生方法。
【発明の詳細な説明】
【技術分野】
【０００１】
本開示は、例えば、充電が不要とされる携帯型電子機器、信号処理方法および再生方法に関する。
【背景技術】
【０００２】
近年、携帯電話や携帯型の音楽プレーヤなどのように、ユーザが屋外で使用する携帯型電子機器が広く普及している。このような携帯型電子機器は、特許文献１に記載されているように、電源として充放電可能な二次電池を有することが一般的である。
【先行技術文献】
【特許文献】
【０００３】
【特許文献１】特開２００３−２８３６０９号公報
【発明の概要】
【発明が解決しようとする課題】
【０００４】
特許文献１に記載されている携帯型電子機器において、二次電池の残容量が不足した場合には、商用電源を使用して二次電池を充電しなければならない。このため、屋外などの商用電源がない場所で電池の残容量が不足した場合には、携帯型電子機器の使用を中止せざるを得ないという問題があった。さらに、携帯型電子機器が長時間、使用されない場合には二次電池が放電されてしまうため、携帯型電子機器を即座に使用することができないという問題があった。
【０００５】
したがって、本開示の目的の一つは、例えば、充電が不要な携帯型電子機器、信号処理方法および再生方法を提供することにある。
【課題を解決するための手段】
【０００６】
上述した課題を解決するために、本開示は、例えば、
信号処理部と、
信号処理部に対してコントロール信号を供給するコントローラと、
電力としての電気信号を生成し、生成する電気信号を信号処理部に供給する発電部と
を備える携帯型電子機器である。
【０００７】
本開示は、例えば、
コンテンツを再生する処理を行う信号処理部と、
電力としての電気信号を生成し、電気信号を蓄電部に供給する発電部と
を備え、
信号処理部は、蓄電部の残容量に応じてコンテンツの再生態様を変化させる携帯型電子機器である。
【０００８】
本開示は、例えば、
信号処理部と、コントローラと、発電部とを備える携帯型電子機器における信号処理方法であり、
コントローラから出力されるコントロール信号が信号処理部に供給され、
発電部によって生成される電力としての電気信号が、信号処理部に供給される信号処理方法である。
【０００９】
本開示は、例えば、
信号処理部によってコンテンツを再生し、
発電部によって電力としての電気信号を生成し、電気信号を蓄電部に供給し、
蓄電部の残容量に応じて、コンテンツの再生態様を変化させる再生方法である。
【発明の効果】
【００１０】
少なくとも一の実施形態によれば、携帯型電子機器において発電することができ、商用電源等の外部電源を使用して携帯型電子機器を充電することが不要となる。
【図面の簡単な説明】
【００１１】
【図１】第１の実施形態の概要を示す略線図である。
【図２】第１の実施形態における携帯型音楽再生機の構成の一例を示すブロック図である。
【図３】発電部が組み込まれる位置の一例を説明するための略線図である。
【図４】発電部の構成の一例を説明するための略線図である。
【図５】エレクトレットローターおよびエレクトレットステーターのそれぞれの対向面の一例を説明するための略線図である。
【図６】第２の実施形態の概要を示す略線図である。
【図７】第２の実施形態における携帯型音楽再生機の構成の一例を示すブロック図である。
【図８】コントロール信号生成ブロックの構成の一例等を説明するためのブロック図である。
【図９】変形例を説明するためのブロック図である。
【図１０】他の変形例を説明するためのブロック図である。
【図１１】他の変形例を説明するためのブロック図である。
【図１２】他の変形例を説明するためのブロック図である。
【図１３】第３の実施形態の概要を示す略線図である。
【図１４】第３の実施形態における携帯型音楽再生機の構成の一例を示すブロック図である。
【図１５】変形例を説明するためのブロック図である。
【図１６】他の変形例を説明するためのブロック図である。
【図１７】第４の実施形態の概要を示す略線図である。
【図１８】第４の実施形態における携帯型音楽再生機の構成の一例を示すブロック図である。
【図１９】第５の実施形態における携帯型音楽再生機の構成の一例を示すブロック図である。
【図２０】第６の実施形態における携帯型音楽再生機の構成の一例を示すブロック図である。
【図２１】第７の実施形態における携帯型音楽再生機の構成の一例を示すブロック図である。
【図２２】第８の実施形態における携帯型音楽再生機の構成の一例を示すブロック図である。
【発明を実施するための形態】
【００１２】
以下、本開示の複数の実施形態等について説明する。なお、説明は、以下の順序で行う。
＜１．第１の実施形態＞
＜２．第２の実施形態＞
＜３．第３の実施形態＞
＜４．第４の実施形態＞
＜５．第５の実施形態＞
＜６．第６の実施形態＞
＜７．第７の実施形態＞
＜８．第８の実施形態＞
＜９．変形例＞
以下に説明するそれぞれの実施形態において、同一の構成については同一の符号を付す。同一の符号が付された構成は、それぞれの実施形態において特に断らない限り同一の機能を有し、重複した説明を適宜、省略する。
なお、本開示は、以下に説明する実施形態および変形例に限定されない。それぞれの実施形態の全部または一部は、技術的矛盾が生じない限り相互に組み合わせることができる。
【００１３】
＜１．第１の実施形態＞
「第１の実施形態の概要」
以下に説明する複数の実施形態では、携帯型電子機器の一例として、携帯型音楽再生機を用いて説明する。本開示は、携帯型音楽再生機の他に、携帯電話、ディジタルスチルカメラ、携帯型パーソナルコンピュータ、スマートフォンなどの他の携帯型電子機器に対して適用することができる。
【００１４】
図１は、第１の実施形態の概要を示す。ユーザが靴１ａおよび靴１ｂからなる靴１を履いて歩行または走行（以下、適宜、歩行等と称する）している。靴１は、運動靴、長靴、ハイヒール、ビジネス用の靴、サンダルなどの履物に適用できる。
【００１５】
第１の実施形態では、携帯型音楽再生機１０が靴１ａに組み込まれており、携帯型音楽再生機１０と靴１ａとが一体的に構成されている。携帯型音楽再生機１０が靴１ｂと一体的に構成されてもよい。靴１ａおよび靴１ｂの双方に、携帯型音楽再生機１０が組み込まれていてもよい。
【００１６】
携帯型音楽再生機１０は、例えば、信号処理部およびコントローラからなる１０ａと、発電部１０ｂと、超指向性スピーカ１０ｃとを含む構成である。信号処理部およびコントローラからなる１０ａおよび発電部１０ｂが靴１ａに内蔵され、超指向性スピーカ１０ｃが靴１ａの表面に取り付けられる。
【００１７】
コントローラからのコントロール信号に応じて、信号処理部が、例えば、音楽コンテンツを再生するための再生処理を行う。再生処理がなされた音楽コンテンツが超指向性スピーカ１０ｃから再生される。超指向性スピーカ１０ｃは、靴１を履いているユーザの耳元付近に音楽コンテンツを再生する指向特性を有している。このため、超指向性スピーカ１０ｃから再生された音楽コンテンツは周囲に拡散されることなく、靴１を履いているユーザのみが、再生された音楽コンテンツを聴取できる。
【００１８】
発電部１０ｂは、例えば、靴１を使用した歩行等に伴う、足を上下させる動作に応じて、電力としての電気信号（以下、単に電力または電気信号と略すこともある）を生成する。すなわち、地面に向かって足を踏み込む動作と、踏み込んだ足を持ち上げる動作に応じて、発電部１０ｂは電力を生成する。足を踏み込む動作と、足を持ち上げる動作とからなる動作を適宜、足踏み動作と称する。発電部１０ｂによって生成された電力が携帯型音楽再生機１０の各部に対して供給される。携帯型音楽再生機１０の各部は、発電部１０ｂから供給される電力によって動作する。携帯型音楽再生機１０が発電部１０ｂを有するので、携帯型音楽再生機１０に対して外部電源から電力を供給する必要がない。さらに、外部電源を使用して携帯型音楽再生機１０を充電する必要がない。
【００１９】
「携帯型音楽再生機の構成」
図２は、携帯型音楽再生機１０の構成の一例を示す。携帯型音楽再生機１０は、信号処理部の一例としての制御部１１を備える。制御部１１は、例えば、ＣＰＵ(Central Processing Unit)やＤＳＰ(Digital Signal Processor)などによって構成される。制御部１１に対して、表示部１２と、操作部１３と、増幅部１４と、記憶部１６とが接続される。増幅部１４に対しては、上述した超指向性スピーカ１０ｃに対応するスピーカ１５が接続される。記憶部１６に対して、外部Ｉ／Ｆ(Interface)１７が接続される。
【００２０】
携帯型音楽再生機１０は、発電部１０ｂに対応する発電部１８を備える。発電部１８は、例えば、足踏み動作に応じて電力を生成する。発電部１８によって生成された電力が蓄電部１９に供給され、蓄電部１９が蓄電される。蓄電部１９から携帯型音楽再生機１０の各部に電力が供給される。図において電力の供給ラインの一例を点線で示す。例えば、蓄電部１９から制御部１１に対して電力が供給される。蓄電部１９から表示部１２や操作部１３などの他の構成に電力が供給されてもよい。なお、発電部１８によって生成された電力が、蓄電部１９を介さずに直接、制御部１１等に供給されてもよい。
【００２１】
携帯型音楽再生機１０の各部の詳細について説明する。制御部１１は、例えば、コントロール信号に応じた処理を行う。制御部１１は、例えば、圧縮符号化されて記憶されている音楽コンテンツデータを記憶部１６から読み出し、読み出した音楽コンテンツデータに対して復号処理、エラー訂正処理を含む再生処理を行う。再生処理がなされた音楽コンテンツデータが制御部１１から増幅部１４に供給される。さらに、制御部１１は、例えば、音楽コンテンツの再生状況に応じた表示コントロール信号を生成し、生成した表示コントロール信号を表示部１２に供給するようにしてもよい。表示部１２には、表示コントロール信号に基づく表示がなされる。
【００２２】
制御部１１に対して、操作部１３からコントロール信号が供給される。コントロール信号は、例えば、音楽コンテンツの再生または停止の指示や音楽コンテンツの再生順序を変更させる指示等を内容とする信号である。制御部１１は、操作部１３から供給されるコントロール信号に応じた処理を実行する。
【００２３】
表示部１２は、ＬＣＤ(Liquid Crystal Display)や有機ＥＬ(Electroluminescence)などからなり、制御部１１から供給される表示コントロール信号に応じた内容を表示する。表示部１２には、例えば、音楽コンテンツの再生経過時間や、再生中の音楽コンテンツのタイトルが表示される。なお、表示部１２は靴１ａに設けられてもよく、携帯型音楽再生機１０と別体とされてもよい。例えば、表示部１２を腕時計のようにユーザの腕に装着可能とし、表示コントロール信号を無線によって表示部１２に送信する。表示部１２に、送信された表示コントロール信号に基づく表示がなされるようにしてもよい。
【００２４】
コントローラの一例である操作部１３は、例えば、音楽コンテンツの再生を開始または停止するボタンや、蓄電部１９からの電力の供給をオン／オフするスイッチなどからなる。これらのボタン等の操作に応じてコントロール信号が生成され、生成されたコントロール信号が制御部１１に供給される。
【００２５】
操作部１３は、例えば、靴１ａの表面に取り付けられる。操作部１３をユーザの手元で操作できるリモートコントロール装置として構成し、操作部１３から制御部１１に対して、無線によってコントロール信号を送信してもよい。靴１ａの表面に操作部１３が設けられた場合には、靴１ａを履く動作とともに操作部１３を操作して、例えば、音楽コンテンツの再生を指示することができる。操作部１３および表示部１２を一体として構成し、操作部１３をタッチパネルとして構成してもよい。
【００２６】
増幅部１４は、制御部１１から供給される音楽コンテンツデータを所定の増幅率で増幅する。増幅部１４によって増幅された音楽コンテンツデータがスピーカ１５に供給され、スピーカ１５から音楽コンテンツが再生される。スピーカ１５は、音楽コンテンツをユーザの耳の近傍に向かって放射する指向性を有している。したがって、スピーカ１５から再生された音楽コンテンツは、靴１を履いているユーザに対してのみ再生される。
【００２７】
記憶部１６は、例えば、半導体メモリからなる不揮発性メモリである。記憶部１６は、ハードディスクでもよい。記憶部１６は、光ディスクやＵＳＢ(Universal Serial Bus)メモリのように、携帯型音楽再生機１０に着脱自在とされてもよい。記憶部１６には、例えば、ＭＰ３(MPEG Audio Layer3)方式で圧縮符号化された音楽コンテンツデータが複数記憶される。
【００２８】
記憶部１６に対して外部Ｉ／Ｆ１７が接続される。外部Ｉ／Ｆ１７を介して、パーソナルコンピュータや、ネットワークに接続された配信サーバから音楽コンテンツデータを携帯型音楽再生機１０に取り込むことができる。取り込まれた音楽コンテンツデータが記憶部１６に記憶される。外部Ｉ／Ｆ１７を介して取り込まれた音楽コンテンツデータが記憶部１６を介さずに、制御部１１に直接、供給されるようにしてもよい。供給された音楽コンテンツデータに対して、制御部１１による再生処理（ストリーミング再生）がなされるようにしてもよい。
【００２９】
発電部１８は、所定の動作に応じて電力を生成する。例えば、靴１ａを使用した足踏み動作に応じて電力を生成する。発電部１８の詳細については、後述する。発電部１８によって生成された電力が蓄電部１９に供給され、蓄電部１９が蓄電される。
【００３０】
蓄電部１９は、二次電池やキャパシタなどの蓄電デバイスを含む。蓄電部１９に、電力の供給の開始および停止を切り替えるためのスイッチ回路や整流回路、昇圧回路等が含まれてもよい。二次電池は、例えば、リチウムイオン電池、ナトリウム・硫黄電池、鉛電池、ニッケル・水素電池、ニッケル・亜鉛電池、ニッケル・鉄電池、銀・亜鉛電池、ニッケル・カドミウム電池、レドックス・フロー電池が挙げられる。複数の二次電池を組み合わせて用いてもよい。キャパシタは、例えば、電気二重層キャパシタ、リチウムイオンキャパシタである。
【００３１】
「携帯型音楽再生機の動作」
次に、携帯型音楽再生機１０の動作の一例について説明する。始めに、靴１が履かれるとともに、例えば、操作部１３の起動スイッチがオンされる。起動スイッチがオンされることで、蓄電部１９から携帯型音楽再生機１０の各部に電力が供給される。操作部１３によって、例えば、音楽コンテンツの再生を指示する操作がなされる。操作に応じて操作部１３はコントロール信号を生成し、生成したコントロール信号を制御部１１に供給する。操作部１３による操作が、遠隔操作でなされてもよい。
【００３２】
操作部１３から供給されるコントロール信号に応じて、制御部１１は、記憶部１６から所定の音楽コンテンツデータを読み出し、読み出した音楽コンテンツデータに対する再生処理を行う。再生処理が施された音楽コンテンツデータが制御部１１から増幅部１４に供給される。増幅部１４によって音楽コンテンツデータ増幅され、増幅された音楽コンテンツデータがスピーカ１５に供給される。スピーカ１５から音楽コンテンツが再生される。
【００３３】
靴１を使用した歩行等がなされ、歩行等にともなう足踏み動作に応じて、発電部１８が電力を生成する。発電部１８によって生成された電力が蓄電部１９に供給され、蓄電部１９が蓄電される。蓄電部１９から携帯型音楽再生機１０の各部に電力が供給される。蓄電部１９に蓄電された電力が携帯型音楽再生機１０の各部に供給されるので、足踏み動作が中断した場合でも、携帯型音楽再生機１０の各部に対する電力の供給を継続することができる。
【００３４】
携帯型音楽再生機１０の使用が終了すると、操作部１３の起動スイッチがオフされる。起動スイッチがオフされると、蓄電部１９から携帯型音楽再生機１０の各部に対する電力の供給が停止し、音楽コンテンツの再生が停止する。蓄電部１９から携帯型音楽再生機１０の各部に対する電力の供給が停止した状態で足踏み動作がなされると、発電部１８が生成する電力により蓄電部１９を充電することができる。なお、発電部１８から所定時間、蓄電部１９に電力が供給されない場合には、靴１の使用が終了したものとして、蓄電部１９から各部への電力の供給を停止してもよい。
【００３５】
「発電部について」
発電部１８の一例について説明する。図３の点線で囲まれた位置は、発電部１８が内蔵される位置の一例を示す。発電部１８は、例えば、靴１ａにおいて踵で踏まれる位置に内蔵される。靴１ａの種類によって名称は異なるが、例えば、積上げ、ミッドソール、バックスティなどと称される位置に発電部１８が内蔵される。発電部１８は、例えば、エレクトレットを使用した静電誘導型の発電器である。
【００３６】
図４は、発電部１８の構成の一例を示す。発電部１８は、例えば、圧力印加部１８０ａと、変換軸１８０ｂと、エレクトレットローター１８０ｃと、エレクトレットステーター１８０ｄとを含む構成である。圧力印加部１８０ａは、加わる力に応じて撓む可撓性を有する。足踏み動作における足を踏み込む動作がなされると、圧力印加部１８０ａに図面に向かって上方から下方への垂直方向の圧力が印加される。足踏み動作における足を持ち上げる動作がなされると、圧力印加部１８０ａには、復元力による下方から上方に向かう力が加わる。
【００３７】
圧力印加部１８０ａには、変換軸１８０ｂの一端が取り付けられる。変換軸１８０ｂの他端にはエレクトレットローター１８０ｃが取り付けられる。変換軸１８０ｂは、圧力印加部１８０ａに加わる垂直方向の圧力に応じて所定方向に回転し、垂直方向の力を水平方向の力に変換する。圧力印加部１８０ａに上方から下方に向かう力が加わると、変換軸１８０ｂが一方向に回転し、圧力印加部１８０ａに下方から上方に向かう力が加わると、変換軸１８０ｂが他の方向に回転する。なお、垂直方向の力を水平方向の力に変換する構成は図４に示した構成に限られず、種々の構成を採用できる。まいぎりの原理に基づく構成でもよい。
【００３８】
変換軸１８０ｂが回転することに応じて、変換軸１８０ｂに取り付けられたエレクトレットローター１８０ｃが回転する。エレクトレットローター１８０ｃは、例えば、略円形状であり、中心付近に変換軸１８０ｂの他端が取り付けられる。エレクトレットローター１８０ｃの一面が対向面とされる。エレクトレットローター１８０ｃの対向面と、エレクトレットステーター１８０ｄの対向面とが、互いに対向する。エレクトレットステーター１８０ｄは、例えば、略円形状であり固定される。
【００３９】
図５Ａは、エレクトレットローター１８０ｃの対向面の一例を示す。エレクトレットローター１８０ｃの対向面の一部（例えば半分）には、誘電体に電荷が打ちこまれたエレクトレット膜１８１ａが形成され、他の部分は基板１８１ｂである。エレクトレット膜１８１ａによって静電場が形成される。
【００４０】
図５Ｂは、エレクトレットステーター１８０ｄの対向面の一例を示す。エレクトレットステーター１８０ｄの対向面には、複数の電極として、電極１８２ａ、電極１８２ｂ、電極１８２ｃ・・・電極１８２ｈが形成される。複数の電極が、発電部１８における図示しない出力回路に接続される。なお、エレクトレット膜および電極が形成される位置や個数は、適宜変更できる。
【００４１】
発電部１８の動作の一例について説明する。例えば、靴１を使用して足踏み動作がなされ足を踏み込む動作がなされると、上方から下方に向かう垂直方向の力（圧力）が圧力印加部１８０ａに印加される。圧力印加部１８０ａに印加された垂直方向の力に応じて変換軸１８０ｂが所定方向に回転し、変換軸１８０ｂが回転することで垂直方向の力が水平方向に回転する力に変換される。変換軸１８０ｂが回転することに応じてエレクトレットローター１８０ｃが、変換軸１８０ｂを軸に所定方向に回転する。エレクトレットローター１８０ｃが回転することで、エレクトレット膜１８１ａと電極１８２ａ等とが重なる面積が変化する。変化に応じて電気信号が発生し、発電部１８が電力を生成する。
【００４２】
足踏み動作において、足を踏み込む状態から足を持ち上げる動作がなされると、復元力によって下方から上方に向かう垂直方向の力が圧力印加部１８０ａに働く。この垂直方向の力に応じて、変換軸１８０ｂが所定方向とは反対の方向に回転する。変換軸１８０ｂが回転することでエレクトレットローター１８０ｃが所定方向と反対の方向に回転する。エレクトレットローター１８０ｃが回転することで、エレクトレット膜１８１ａと電極１８２ａ等とが重なる面積が変化する。変化に応じて電気信号が発生し、発電部１８が電力を生成する。なお、周波数を変換する機構によって通常は高周波側に周波数が変換されることや、慣性力の作用により、発電部１８の発電が継続するといった要因で１回の足踏み動作によって複数の周期の交流電力が発生する。
【００４３】
発電部１８からは、例えば、交流電力が振幅変調されて出力される。足踏み動作において、足を踏み込んだ直後の平均電力は大きく、次第に減衰する。振幅が時間変動する交流電力を整流し、整流した後に平滑化処理を行うことで、１回の足踏み動作に対応して１サイクルの電力量の変化を測定できる。例えば、ＬＰＦ(Low Pass Filter)を使用して包絡線検波すると、発電部１８による発電量が０または微小の段階から発電量が増加する段階を経て発電量が減少（減衰）する段階からなるサイクルを測定できる。この電力量の変化のサイクルの数（サイクル数）を検出することで、足踏み動作がなされた回数を検出することができる。発電部１８から出力された電力が、例えば、蓄電部１９における整流回路で整流され、直流電圧が形成される。形成された直流電圧によって蓄電部１９の蓄電デバイスが蓄電される。整流回路は、例えば、ダイオードブリッジ回路により構成される。
【００４４】
以上説明したように、第１の実施形態では、携帯型音楽再生機が発電部を有し、発電部が発電して電力を生成する。発電部によって発電された電力が、例えば、蓄電部を介して携帯型音楽再生機の各部に供給される。このため、携帯型音楽再生機に充電を行う必要がなくなる。
【００４５】
なお、上述した発電部１８の例では、エレクトレットローター１８０ｃが回転するものとしたが、エレクトレットステーター１８０ｄが回転するようにしてもよい。エレクトレットローター１８０ｃおよびエレクトレットステーター１８０ｄが回転するようにしてもよい。回転に限らず、エレクトレットローター１８０ｃを水平方向にスライドさせるようにしてもよい。
【００４６】
携帯型音楽再生機１０において、ユーザの耳元の近傍に取り付け可能な鉱石ラジオを設け、鉱石ラジオを使用して音楽コンテンツを再生するようにしてもよい。鉱石ラジオは、例えば、アンテナを有し、並列共振回路とダイオード等の鉱石検波器とが接続された構成である。鉱石ラジオは、無電源でも動作する。制御部１１によって音楽コンテンツデータが特定の周波数で周波数変調（ＦＭ(Frequency Modulation)変調）される。ＦＭ変調された音楽コンテンツデータが鉱石ラジオに送信される。例えば、近距離無線によって音楽コンテンツデータが送信される。送信された音楽コンテンツデータが鉱石ラジオによって検波および復調される。復調された音楽コンテンツデータが、鉱石ラジオが有するイヤホンから再生される。
【００４７】
＜２．第２の実施形態＞
「第２の実施形態の概要」
次に、第２の実施形態について説明する。第２の実施形態は、発電部が生成する電力によって、コントロール信号が形成される例である。
【００４８】
図６は、第２の実施形態の概要を示す。第２の実施形態における携帯型音楽再生機２０は靴１ａと一体的に構成されている。携帯型音楽再生機２０は、信号処理部およびコントローラからなる２０ａと、発電部２０ｂと、超指向性スピーカ２０ｃを含む構成である。超指向性スピーカ２０ｃから音楽コンテンツが再生される。超指向性スピーカ２０ｃは、靴１を履いているユーザの耳元付近に音楽コンテンツが聞こえるような指向特性を有している。このため、超指向性スピーカ２０ｃから再生された音楽コンテンツは周囲に拡散されることなく、靴１を履いているユーザのみが、再生された音楽コンテンツを聴取できる。
【００４９】
携帯型音楽再生機２０は、検出部２０ｄを備える。検出部２０ｄは、例えば、携帯型音楽再生機２０と別体とされ、例えば、ユーザの手元で検出部２０ｄに対する操作が可能とされるものである。検出部２０ｄに対して、例えば、押下操作が可能とされる。
【００５０】
第２の実施形態では、所定のモーション（動作）によって携帯型音楽再生機２０をコントロール（制御）できる。例えば、靴１ａを使用した足踏み動作に応じて、携帯型音楽再生機２０をコントロールすることができる。コントロールの内容は適宜設定できる。例えば、所定時間内（例えば、５秒）に２回の足踏み動作を行うことで、音楽コンテンツの再生を開始させることができる。所定時間内に、３回の足踏み動作を行うことで、音楽コンテンツの再生を停止することができる。所定時間内に、４回の足踏み動作を行うことで音楽コンテンツの再生をスキップし、次の音楽コンテンツを再生させることができる。
【００５１】
足踏み回数に対応するコントロールの内容は、例えば、制御部１１と接続されるＲＯＭ(Read Only Memory)に記憶される。コントロールの内容を設定できるようにしてもよい。足踏み動作によって携帯型音楽再生機２０をコントロールする際には、検出部２０ｄが押下される。
【００５２】
「携帯型音楽再生機の構成」
図７は、第２の実施形態における携帯型音楽再生機２０の構成の一例を示す。携帯型音楽再生機２０は、制御部１１と、表示部１２と、操作部１３と、増幅部１４と、スピーカ１５と、記憶部１６と、外部Ｉ／Ｆ１７と、発電部１８と、蓄電部１９と、コントロール信号生成ブロック１００と、スイッチＳＷと、検出部２１とを含む構成である。２０ａにおける信号処理部に制御部１１が対応し、コントローラとして、例えば、操作部１３およびコントロール信号生成ブロック１００が対応する。発電部２０ｂに発電部１８が対応し、超指向性スピーカ２０ｃにスピーカ１５が対応し、検出部２０ｄに検出部２１が対応する。
【００５３】
制御部１１に、表示部１２と、操作部１３と、増幅部１４と、記憶部１６とが接続される。スピーカ１５が増幅部１４に接続される。外部Ｉ／Ｆ１７が記憶部１６に接続される。携帯型音楽再生機２０は、発電部１８を備える。発電部１８は、足踏み動作に応じて発電し、電力を生成する。発電部１８が生成した電力が蓄電部１９に供給され、蓄電部１９が蓄電される。蓄電部１９から携帯型音楽再生機２０の各部に対して電力が供給され、携帯型音楽再生機２０が動作する。図において電力の供給ラインの一例を点線で示す。携帯型音楽再生機２０が動作することで、例えば、音楽コンテンツが再生される。
【００５４】
制御部１１は、検出部２１と接続される。検出部２１は、所定の動作を検出すると動作検出信号を生成し、生成した動作検出信号を制御部１１に供給する。検出部２１は、例えば、検出部２１に対する押下操作を検出すると動作検出信号を生成する。そして、検出部２１は、生成した動作検出信号を制御部１１に対して出力する。所定の動作は、押下操作に限られない。例えば、検出部２１をタッチセンサとして構成し、触れられることに応じて検出部２１が動作検出信号を生成するようにしてもよい。検出部２１は、接触操作がなされたことによる熱を検出するセンサでもよい。
【００５５】
なお、制御部１１と検出部２１とは、有線で接続されてもよく無線で接続されてもよい。しかしながら、有線による接続はケーブルを必要とするため、制御部１１と検出部２１とが無線で接続されることが好ましい。検出部２１から出力された動作検出信号が、図示しない送信部によって無線を介して送信される。送信された動作検出信号が、図示しない受信部によって受信され、受信された動作検出信号が制御部１１に供給される。
【００５６】
制御部１１は、スイッチＳＷを介してコントロール信号生成ブロック１００と接続される。スイッチＳＷのオン／オフは、制御部１１によって切り替えられる。制御部１１は、例えば、検出部２１から動作検出信号が供給されるとスイッチＳＷをオンする。なお、スイッチＳＷは、コントロール信号生成ブロック１００と発電部１８との間に設けられてもよい。
【００５７】
コントロール信号生成ブロック１００は、発電部１８と接続され、発電部１８が生成する電力がコントロール信号生成ブロック１００に供給される。コントロール信号生成ブロック１００は、発電部１８から供給される電力によってコントロール信号を生成する。コントロール信号生成ブロック１００で生成されたコントロール信号が、スイッチＳＷを介して制御部１１に供給される。供給されたコントロール信号に応じて、制御部１１が所定の処理を実行する。
【００５８】
検出部２１に対する押下操作が解除されると、検出部２１は動作検出信号の出力を停止する。検出部２１からの動作検出信号の供給が停止すると、制御部１１はスイッチＳＷをオフする。スイッチＳＷがオフされるので、コントロール信号生成ブロック１００で生成されたコントロール信号は、制御部１１に供給されない。
【００５９】
「コントロール信号生成ブロックについて」
図８を参照して、コントロール信号生成ブロック１００の構成の一例等について説明する。コントロール信号生成ブロック１００は、例えば、フィルタ１００ａと、Ａ／Ｄ(Analog to Digital)変換部１００ｂと、演算部１００ｃとを備える。
【００６０】
発電部１８により生成された電力が分配され、一方の電力に対して高抵抗の負荷（ハイインピーダンス）がかけられ、他方の電力に低抵抗の負荷（ローインピーダンス）がかけられる。ハイインピーダンス側の電力が、コントロール信号生成ブロック１００に入力される。コントロール生成信号ブロック１００に入力された電力が、例えば、整流され、整流された後にフィルタ１００ａによるフィルタ処理がなされる。フィルタ１００ａによって、例えば、波形整形処理、平滑化処理（ＬＰＦ処理)、ノイズ除去等を含むフィルタ処理がなされる。フィルタ処理がなされた電気信号がＡ／Ｄ変換部１００ｂによってデジタル信号に変換される。Ａ／Ｄ変換部１００ｂから出力されたデジタル信号が演算部１００ｃに供給される。
【００６１】
演算部１００ｃは、フィルタ処理がなされたデジタル信号を使用して、発電部１８が発電する電力量の変化を測定する。第１の実施形態で説明したように、例えば、１回の足踏み動作に応じて発電部１８が生成した電力にフィルタ処理を行うと、１サイクルの電力量の変化が測定される。演算部１００ｃは、Ａ／Ｄ変換部１００ｂから供給されるデジタル信号を使用して、電力量の変化のサイクル数を測定する。そして、演算部１００ｃは、測定したサイクル数から、足踏み踏み動作がなされた回数を検出する。演算部１００ｃは、例えば、１サイクルの電力量の変化が２回、測定された場合（サイクル数が２）は、２回の足踏み動作がなされたものと判別する。
【００６２】
演算部１００ｃは、判別した足踏み動作の回数に対応する処理を制御部１１に実行させるための、コントロール信号を生成する。演算部１００ｃは、例えば、足踏み動作の回数が２回である判別すると、音楽コンテンツの再生を開始させるコントロール信号を生成する。生成されたコントロール信号が演算部１００ｃから出力される。そして、コントロール信号生成ブロック１００からコントロール信号が出力される。
【００６３】
スイッチＳＷがオンされている場合に、コントロール信号生成ブロック１００から出力されたコントロール信号が制御部１１に供給される。制御部１１は、コントロール信号に応じた処理を行う。例えば、制御部１１は、記憶部１６から所定の音楽コンテンツデータを読み出し、読み出した音楽コンテンツデータに対する再生処理を行う。
【００６４】
演算部１００ｃは、１サイクルの電力量の変化が３回、測定された場合は、３回の足踏み動作がなされたものと判別する。演算部１００ｃは、足踏み動作の回数が３回であると判別すると、例えば、音楽コンテンツの再生を停止させるためのコントロール信号を生成する。コントロール信号がスイッチＳＷを介して制御部１１に供給される。コントロール信号が供給されることに応じて、制御部１１は音楽コンテンツの再生処理を停止する。
【００６５】
なお、演算部１００ｃによって電力量の変化以外の他のパラメータが判別されるようにしてもよい。例えば、発電部１８からコントロール信号生成ブロック１００に入力される信号間の間隔を判別するようにしてもよい。判別された間隔に応じたコントロール信号が演算部１００ｃにより生成されてもよい。発電部１８から供給される電気信号のレベルを演算部１００ｃが判別するようにしてもよい。判別されたレベルに応じたコントロール信号が演算部１００ｃにより生成されてもよい。
【００６６】
ローインピーダンス側の出力が蓄電部１９に供給される。発電部１８からの電力は、ローインピーダンス側に多く分配される。このため、発電部１８が生成する電力の多くを蓄電部１９に供給することができる。蓄電部１９に供給された電力が蓄電部１９における整流回路１９０ａによって整流され、直流電圧が形成される。なお、昇圧または降圧するためのレギュレータを設け、電力のレベルに応じて適宜、昇圧または降圧の処理がなされるようにしてもよい。
【００６７】
整流回路１９０ａによって形成された直流電圧が、例えば、電力供給ラインＬ１を介して携帯型音楽再生機２０の各部に直接、供給される。蓄電部１９にバッテリ１９０ｂを設け、整流回路からの直流電圧が電力供給ラインＬ２を介してバッテリ１９０ｂに供給されてもよい。そして、バッテリ１９０ｂから携帯型音楽再生機２０の各部に、電力供給ラインＬ２を介して電力が供給されるようにしてもよい。
【００６８】
蓄電部１９にキャパシタ１９０ｃを設け、整流回路からの直流電圧が電力供給ラインＬ３を介してキャパシタ１９０ｃに供給されてもよい。そして、キャパシタ１９０ｃから携帯型音楽再生機２０の各部に、電力供給ラインＬ３を介して電力が供給されるようにしてもよい。さらに、バッテリ１９０ｂおよびキャパシタ１９０ｃを設け、バッテリ１９０ｂとキャパシタ１９０ｃとの間で、電力供給ラインＬ４を介して電力のやり取りがなされてもよい。足踏み動作がなされながら音楽コンテンツの再生が行われるときはキャパシタ１９０ｃが使用され、足踏み動作のみがなされるときはバッテリ１９０ｂが使用されるようにしてもよい。なお、上述した蓄電部１９の構成等は一例であり、蓄電部１９の構成および携帯型音楽再生機２０の各部に電力を供給する方法は、適宜変更できる。
【００６９】
「携帯型音楽再生機の動作」
携帯型音楽再生機２０の動作の一例について説明する。靴１を履いた状態で歩行等に伴う足踏み動作がなされると、発電部１８が発電し、電力を生成する。発電部１８によって生成された電力が蓄電部１９に供給される。蓄電部１９に供給された電力が整流回路１９０ａによって直流に整流され直流電圧が形成される。形成された直流電圧により蓄電部１９が蓄電される。なお、発電部１８が直流電圧を生成する場合には、整流処理は行われず、直流電圧が直接、蓄電部１９に供給される。
【００７０】
携帯型音楽再生機２０に対して、例えば、操作部１３を使用したコントロールがなされる。操作部１３を使用して、例えば、音楽コンテンツの再生開始を指示する操作がなされると、操作内容に応じたコントロール信号が操作部１３により生成される。操作部１３は、生成したコントロール信号を制御部１１に供給する。制御部１１は、コントロール信号に応じた処理を行う。制御部１１は、例えば、記憶部１６から所定の音楽コンテンツデータを読み出し、読み出した音楽コンテンツデータに対して再生処理を行う。そして、制御部１１は、再生処理を施した音楽コンテンツデータを増幅部１４に供給する。
【００７１】
増幅部１４は、制御部１１から供給された音楽コンテンツデータを所定の増幅率で増幅する。増幅された音楽コンテンツデータがスピーカ１５に供給される。スピーカ１５から音楽コンテンツが再生される。
【００７２】
携帯型音楽再生機２０に対して、モーションによるコントロールが可能とされる。例えば、足踏み動作によって携帯型音楽再生機２０がコントロールされる。足踏み動作によって携帯型音楽再生機２０をコントロールする際には、例えば、検出部２１が押下される。検出部２１が押下されると、検出部２１により動作検出信号が生成され、生成された動作検出信号が制御部１１に供給される。動作検出信号が供給されると、制御部１１はスイッチＳＷをオンする。そして、検出部２１が押下された状態で、例えば、靴１ａを使用した足踏み動作が所定時間内に連続して２回なされる。この足踏み動作に応じて発電部１８が電力を生成する。発電部１８によって生成された電力がコントロール信号生成ブロック１００に供給される。
【００７３】
コントロール信号生成ブロック１００は、発電部１８から供給される電気信号を整流し、整流した電気信号に対して、フィルタ１００ａによるフィルタ処理を行う。フィルタ処理が行われた電気信号がＡ／Ｄ変換部１００ｂによってデジタル信号に変換される。デジタル信号が演算部１００ｃに供給される。演算部１００ｃは、Ａ／Ｄ変換部１００ｂから供給されたデジタル信号を使用して、例えば、コントロール信号生成ブロック１００に入力された電力の電力量の変化のサイクル数を判別する。所定時間（例えば、５秒）におけるサイクル数が判別される。この例では、２回の足踏み動作がなされたことから、１サイクルの電力量の変化が２回、測定され、サイクル数が２と判別される。サイクル数が２であることから、演算部１００ｃは、２回の足踏み動作がなされたと判別する。
【００７４】
演算部１００ｃは、判別した足踏み動作の回数に対応するコントロール信号を生成する。演算部１００ｃは、足踏み動作の回数が２回であることに対応して、例えば、音楽コンテンツの再生を開始させるためのコントロール信号を生成する。演算部１００ｃによって生成されたコントロール信号がコントロール信号生成ブロック１００から出力され、出力されたコントロール信号がスイッチＳＷを介して制御部１１に供給される。
【００７５】
制御部１１は、コントロール信号生成ブロック１００から供給されたコントロール信号に応じた処理を行う。制御部１１は、例えば、音楽コンテンツの再生を開始する処理を行う。すなわち、制御部１１は、記憶部１６から所定の音楽コンテンツデータを読み出し、読み出した音楽コンテンツデータに対して再生処理を行う。制御部１１は、再生処理を施した音楽コンテンツデータを増幅部１４に供給する。増幅部１４によって音楽コンテンツデータが増幅され、増幅された音楽コンテンツデータがスピーカ１５に供給される。スピーカ１５から音楽コンテンツが再生される。
【００７６】
検出部２１に対する押下操作が解除されると、検出部２１から制御部１１に対する動作検出信号の供給が停止する。動作検出信号の供給が停止すると、制御部１１は、スイッチＳＷをオフする。スイッチＳＷがオフされた後は、コントロール信号生成ブロック１００から出力されたコントロール信号は制御部１１に供給されない。検出部２１に対する押下操作が解除された場合に、発電部１８が生成した信号が蓄電部１９のみに供給されるようにしてもよい。例えば、発電部１８とコントロール信号生成ブロック１００との間にスイッチＳＷを設け、検出部２１に対する押下操作が解除されることに応じてスイッチＳＷがオフされてもよい。
【００７７】
音楽コンテンツの再生中に、再度、検出部２１に対して押下操作がなされ、検出部２１が押下された状態で、靴１ａを使用した足踏み動作が所定時間内に３回なされる。検出部２１が押下されることに応じて動作検出信号が制御部１１に供給される。動作検出信号が供給されることで、制御部１１はスイッチＳＷをオンする。そして、３回の足踏み動作に応じて発電部１８が電力を生成する。生成された電力が発電部１８からコントロール信号生成ブロック１００に供給される。
【００７８】
コントロール信号生成ブロック１００に供給された電気信号に対して、フィルタ１００ａによるフィルタ処理がなされ、フィルタ処理がなされた電気信号がＡ／Ｄ変換部１００ｂによってデジタル信号に変換される。デジタル信号がＡ／Ｄ変換部１００ｂから演算部１００ｃに供給される。
【００７９】
演算部１００ｃは、デジタル信号を使用して、例えば、電力量の変化のサイクル数を判別する。足踏み動作が３回なされたことから、１サイクルの電力量の変化が３回、測定され、サイクル数が３と判別される。サイクル数が３であることから、演算部１００ｃは、足踏み動作が３回なされたと判別する。そして、演算部１００ｃは、足踏み動作の回数が３回であることに対応したコントロール信号を生成する。例えば、音楽コンテンツの再生を停止させるコントロール信号を生成する。生成されたコントロール信号が、スイッチＳＷを介して制御部１１に供給される。制御部１１は、供給されたコントロール信号に応じて、音楽コンテンツの再生を停止する。
【００８０】
このように、携帯型音楽再生機２０では、発電部１８が生成する電力によってコントロール信号が形成され、形成されたコントロール信号が制御部１１に供給される。すなわち、操作部１３とコントロール信号生成ブロック１００とがコントローラの一例として機能する。なお、携帯型音楽再生機２０に対する全てのコントロールが足踏み動作によって行われるようにし、操作部１３の構成を省略してもよい。この場合は、コントロール信号生成ブロック１００のみがコントローラとして機能する。
【００８１】
モーションによって携帯型音楽再生機２０がコントロールされる場合でも、発電部１８から出力される電力の多くを、蓄電部１９に供給することができる。したがって、蓄電部１９を蓄電することができ、蓄電部１９から携帯型音楽再生機２０の各部に対する電力の供給を継続することができる。さらに、検出部２１が押下されながら足踏み動作がなされたときのみ、足踏み動作によるコントロールが有効になる。したがって、検出部２１が押下されないで足踏み動作がなされた場合に、ユーザが意図しない処理が行われることを防止できる。
【００８２】
携帯型音楽再生機２０の変形例について説明する。なお、以下に説明する変形例は、第２の実施形態に限らず、他の実施形態に対しても技術的矛盾が生じない範囲で適用できる。
【００８３】
図９に示すように、携帯型音楽再生機２０に複数の発電部を設けてもよい。例えば、発電部１８ａと、発電部１８ｂとを設けてもよい。発電部１８ａに対応して、コントロール信号生成ブロック１００ａと、蓄電部１９ａとが設けられる。発電部１８ｂに対応して、コントロール信号生成ブロック１００ｂと、蓄電部１９ｂとが設けられる。
【００８４】
蓄電部１９ａおよび蓄電部１９ｂから出力される電力が携帯型音楽再生機２０の各部に供給される。携帯型音楽再生機２０において、蓄電部１９ａから電力が供給される構成と、蓄電部１９ｂから電力が供給される構成とがそれぞれ設定されてもよい。さらに、蓄電部１９ａおよび蓄電部１９ｂのうち、残容量に余裕のある一方の蓄電部から電力が供給されるようにしてもよい。
【００８５】
コントロール信号生成ブロック１００ａおよびコントロール信号生成ブロック１００ｂのそれぞれから出力されたコントロール信号が、制御部１１に供給される。制御部１１は、コントロール信号生成ブロック１００ａから供給されるコントロール信号と、コントロール信号生成ブロック１００ｂから供給されるコントロール信号に応じた処理を行う。
【００８６】
図１０に示すように、複数の発電部を設け、それぞれの発電部が生成する電力が、一の蓄電部に供給されてもよい。例えば、発電部１８ａおよび発電部１８ｂを設け、発電部１８ａおよび発電部１８ｂから供給される電力によって蓄電部１９が蓄電される。
【００８７】
蓄電部１９に、バッテリ１９０ｂと、キャパシタ１９０ｃとが設けられる場合に、発電部１８ａからの電力によってバッテリ１９０ｂが蓄電され、発電部１８ｂからの電力によってキャパシタ１９０ｃが蓄電されるようにしてもよい。発電部１８ａおよび発電部１８ｂからの電力が切り換えられて、蓄電部１９に供給されるようにしてもよい。図１１に示すように、発電部１８ａおよび発電部１８ｂからそれぞれ出力される電力が、一のコントロール信号生成ブロック１００に供給されるようにしてもよい。
【００８８】
なお、靴１ｂに発電部を設けてもよい。図１２に示すように、靴１ａには、発電部１８ａと、コントロール信号生成ブロック１００と、蓄電部１９と、制御部１１と、図示しない受信処理部が設けられる。靴１ｂには、発電部１８ｂと、図示しない送信処理部が設けられる。
【００８９】
発電部１８ｂによって生成された電力が、ハイインピーダンス側とローインピーダンス側とに分配される。ローインピーダンス側から出力される電力が、送信処理部により無線伝送される。無線伝送された電力が靴１ａにおける受信処理部で受信される。受信処理部により受信された電力が蓄電部１９に供給される。このように、靴１ｂに発電部１８ｂを設け、靴１ｂを使用した足踏み動作に応じて発電部１８ｂが生成した電力により蓄電部１９を蓄電することができる。
【００９０】
ハイインピーダンスから出力される電力が、靴１ｂの送信処理部から靴１ａに無線で送信される。送信された電気信号が靴１ａの受信処理部で受信される。受信された電気信号がコントロール信号生成ブロック１００に供給される。ここで、コントロール信号生成ブロック１００には、靴１ａを使用した足踏み動作の回数に応じたサイクル数を有する電力が発電部１８ａから供給される。さらに、靴１ｂを使用した足踏み動作の回数に応じたサイクル数を有する電力が発電部１８ｂから無線により送信される。
【００９１】
コントロール信号生成ブロック１００におけるフィルタ１００ａによって、発電部１８ａから供給される電力に対してフィルタ処理がなされ、フィルタ処理がなされた信号がＡ／Ｄ変換部１００ｂによってデジタル信号に変換される。演算部１００ｃは、デジタル信号を使用して、電力量の変化のサイクル数を判別する。演算部１００ｃは、判別したサイクル数に対応する足踏み動作の回数Ｍを判別する。
【００９２】
コントロール信号生成ブロック１００におけるフィルタ１００ａによって、発電部１８ｂから供給される電力に対してフィルタ処理がなされ、フィルタ処理がなされた信号がＡ／Ｄ変換部１００ｂによってデジタル信号に変換される。演算部１００ｃは、デジタル信号を使用して、電力量の変化のサイクル数を判別する。演算部１００ｃは、判別したサイクル数に対応する足踏み動作の回数Ｎを求める。
【００９３】
演算部１００ｃは、回数Ｍと回数Ｎとに応じたコントロール信号を生成する。例えば、Ｍ＝１、Ｎ＝０の場合は、制御部１１に音楽コンテンツの再生を開始させるためのコントロール信号を生成し、Ｍ＝０、Ｎ＝１の場合は、制御部１１に音楽コンテンツの再生を停止させるためのコントロール信号を生成する。例えば、Ｍ＝２、Ｎ＝０の場合は、制御部１１に再生中の音楽コンテンツのスキップさせるためのコントロール信号を生成し、Ｍ＝０、Ｎ＝２の場合は、制御部１１に再生中の音楽コンテンツの１曲前の音楽コンテンツを再生させる（逆スキップ）コントロール信号を生成する。演算部１００ｃによって生成されたコントロール信号が制御部１１に供給される。図１２に示す変形例では、携帯型音楽再生装置２０に対して、両足の足踏み動作に応じたコントロールを行うことができる。携帯型音楽再生装置２０に対して、より多くのコントロールを行うことができる。
【００９４】
＜３．第３の実施形態＞
「第３の実施形態の概要」
次に、第３の実施形態について説明する。第３の実施形態は、再生処理がなされた音楽コンテンツデータを無線によってヘッドセットに送信し、ヘッドセットで音楽コンテンツを再生するものである。
【００９５】
図１３は、第３の実施形態の概要を示す。第３の実施形態における携帯型音楽再生機３０は、信号処理部およびコントローラを含む３０ａと発電部３０ｂとを含む。信号処理部およびコントローラを含む３０ａと発電部３０ｂとが、靴１ａと一体的に形成されている。携帯型音楽再生機３０は、さらに、ヘッドセット３０ｃを備える。ヘッドセット３０ｃは、例えば、処理部３０ｄと、発電部３０ｅと、センサ３０ｆとを備える。処理部３０ｄは、例えば、通信部と、増幅部と、スピーカとからなる。発電部３０ｅは、例えば、発電部と蓄電部とからなる。
【００９６】
携帯型音楽再生機３０の信号処理部で再生処理がなされた音楽コンテンツデータが、例えば、近距離無線によりヘッドセット３０ｃに送信される。送信された音楽コンテンツデータがヘッドセット３０ｃにおいて受信される。ヘッドセット３０ｃにおいて、受信された音楽コンテンツデータに対する復調処理および増幅処理がなされ、ヘッドセット３０ｃのスピーカから音楽コンテンツが再生される。
【００９７】
「携帯型音楽再生機の構成」
図１４は、携帯型音楽再生機３０の構成の一例を示す。携帯型音楽再生機３０は、制御部１１と、表示部１２と、操作部１３と、記憶部１６と、外部Ｉ／Ｆ１７と、発電部１８と、蓄電部１９と、通信部３１と、コントロール信号生成ブロック１００と、スイッチＳＷと、ヘッドセット３０ｃとを含む構成である。３０ａの信号処理部に制御部１１が対応する。発電部３０ｂに発電部１８が対応する。
【００９８】
制御部１１に、表示部１２と、操作部１３と、記憶部１６と、通信部３１とが接続される。外部Ｉ／Ｆ１７が記憶部１６に接続される。発電部１８は、足踏み動作に応じて発電し、電力を生成する。発電部１８により生成された電力が蓄電部１９に供給され、蓄電部１９が蓄電される。蓄電部１９から携帯型音楽再生機３０の各部に対して電力が供給され、携帯型音楽再生機３０が動作する。図において電力の供給ラインの一例を点線で示す。携帯型音楽再生機３０が動作することで、例えば、音楽コンテンツが再生される。
【００９９】
制御部１１は、スイッチＳＷを介してコントロール信号生成ブロック１００と接続される。コントロール信号生成ブロック１００は、発電部１８と接続され、発電部１８から供給される電力によってコントロール信号を生成する。スイッチＳＷのオン／オフは、制御部１１によって切り替えられる。制御部１１は、例えば、センサ３７から動作検出信号が供給されるとスイッチＳＷをオンする。スイッチＳＷがオンされると、コントロール信号生成ブロック１００で生成されたコントロール信号が制御部１１に供給される。制御部１１は、供給されたコントロール信号に応じて所定の処理を実行する。
【０１００】
通信部３１は、制御部１１と接続される。通信部３１は、通信部３２から送信される信号を受信して制御部１１に供給する。通信部３１は、例えば、通信部３２から送信される動作検出信号を受信する。受信した動作検出信号に対して復調処理等を施し、復調処理等を施した動作検出信号を制御部１１に供給する。動作検出信号が供給された制御部１１は、スイッチＳＷをオンする。
【０１０１】
さらに、通信部３１は、制御部１１から供給された信号を通信部３２に送信する。通信部３１に、例えば、制御部１１によって再生処理が施された音楽コンテンツデータが供給される。通信部３１は、制御部１１から供給された音楽コンテンツデータに対して変調処理等を施し、変調処理等を施した音楽コンテンツデータを近距離無線によってヘッドセット３０ｃに送信する。
【０１０２】
通信部３１および通信部３２が行う変調処理の変調方式は、ＡＭ(Amplitude Modulation)変調、ＦＭ(Frequency Modulation)変調などを適宜、採用できる。通信部３１と通信部３２との間でなされる近距離無線の方式は、Bluetooth（登録商標)、Zigbee（登録商標）などを採用できる。人体を導体とし、人体に微弱な電流を流して通信を行う人体通信を使用してもよい。
【０１０３】
ヘッドセット３０ｃは、通信部３２と、増幅部３３と、スピーカ３４と、発電部３５と、蓄電部３６と、センサ３７とを含む構成である。通信部３２は、通信部３１から送信された音楽コンテンツデータを受信する。そして、通信部３２は、受信した音楽コンテンツデータに対して復調処理等を施す。復調処理等が施された音楽コンテンツデータが増幅部３３に供給される。
【０１０４】
さらに、通信部３２は、センサ３７から供給される動作検出信号を所定の変調方式で変調し、変調した動作検出信号を通信部３１に対して送信する。送信された動作検出信号が通信部３１によって受信される。なお、通信部３１および通信部３２が行う通信において、動作検出信号を送受信する際に使用される周波数帯域と、音楽コンテンツデータを送受信する際に使用される周波通帯域とが、例えば、異なる周波数帯域とされる。
【０１０５】
増幅部３３は、通信部３２から供給された音楽コンテンツデータを所定の増幅率で増幅する。増幅された音楽コンテンツデータが増幅部３３からスピーカ３４に供給され、スピーカ３４から音楽コンテンツが再生される。
【０１０６】
発電部３５は、例えば、ヘッドセット３０ｃの表面に設けられる太陽電池である。発電部３５は、振動や運動による変位で発電する装置（静電型、電磁型、逆磁歪型、圧電型のいずれでもよい）、熱によって発電する熱電変換素子、酵素電池などでもよい。発電部３５によって発電された電力が蓄電部３６に供給され、蓄電部３６が蓄電される。発電部３５から交流電力が供給される場合は、蓄電部３６の整流回路で交流電力が整流され、直流電圧が形成される。形成された直流電圧によって蓄電部３６が蓄電される。
【０１０７】
蓄電部３６は、二次電池やキャパシタなどの蓄電デバイスを含む。蓄電部３６に、電力の供給の開始および停止を切り替えるためのスイッチ回路や整流回路、昇圧回路等が含まれてもよい。二次電池は、例えば、リチウムイオン電池、ナトリウム・硫黄電池、鉛電池、ニッケル・水素電池、ニッケル・亜鉛電池、ニッケル・鉄電池、銀・亜鉛電池、ニッケル・カドミウム電池、レドックス・フロー電池が挙げられる。複数の二次電池を組み合わせて用いてもよい。キャパシタは、例えば、電気二重層キャパシタ、リチウムイオンキャパシタである。
【０１０８】
センサ３７は、例えば、ヘッドセット３０ｃの表面の所定位置に設けられ、センサ３７に対する接触操作を検出する接触センサである。熱を検出するセンサでもよい。センサ３７は、センサ３７に触れられたことを検出すると動作検出信号を生成し、生成した動作検出信号を通信部３２に供給する。動作検出信号が、通信部３２および通信部３１を介して制御部１１に供給される。
【０１０９】
「携帯型音楽再生機の動作」
携帯型音楽再生機３０の動作の一例について説明する。靴１を使用して歩行等に伴う足踏み動作がなされると、発電部１８が発電し、電力を生成する。発電部１８によって生成された電力が、例えば、蓄電部１９の整流回路１９０ａによって整流され直流電圧が形成される。形成された直流電圧により蓄電部１９が蓄電される。
【０１１０】
携帯型音楽再生機３０に対して、例えば、操作部１３を使用したコントロールがなされる。操作部１３を使用して、例えば、音楽コンテンツの再生開始を指示する操作がなされると、操作内容に応じたコントロール信号が操作部１３で生成される。操作部１３は、生成したコントロール信号を制御部１１に供給する。制御部１１は、コントロール信号に応じた処理を行う。制御部１１は、例えば、記憶部１６から所定の音楽コンテンツデータを読み出し、読み出した音楽コンテンツデータに対する再生処理を行う。そして、制御部１１は、再生処理を施した音楽コンテンツデータを通信部３１に供給する。
【０１１１】
通信部３１は、制御部１１から供給された音楽コンテンツデータに対して変調処理等を行う。通信部３１によって変調処理等が施された音楽コンテンツデータが、通信部３１から通信部３２に送信される。通信部３１から送信された音楽コンテンツデータが、通信部３２によって受信される。通信部３２は、受信した音楽コンテンツデータに対して復調処理等を行う。通信部３２によって復調処理等が施された音楽コンテンツデータが増幅部３３に供給される。増幅部３３は、通信部３２から供給された音楽コンテンツデータを所定の増幅率で増幅する。増幅された音楽コンテンツデータがスピーカ３４に供給される。スピーカ３４から音楽コンテンツが再生される。
【０１１２】
携帯型音楽再生機３０に対して、モーションによるコントロールが可能とされる。例えば、足踏み動作によって携帯型音楽再生機３０がコントロールされる。モーションによるコントロールを行う際には、例えば、センサ３７を触れる接触操作がなされる。接触操作がなされると、センサ３７は動作検出信号を生成し、生成した動作検出信号を通信部３２に供給する。通信部３２は、センサ３７から供給された動作検出信号を変調し、変調した動作検出信号を通信部３１に送信する。
【０１１３】
送信された動作検出信号が、通信部３１によって受信され、受信された動作検出信号に対して通信部３１による復調処理等がなされる。復調処理等がなされた動作検出信号が、通信部３１から制御部１１に供給される。動作検出信号が供給されることに応じて、制御部１１はスイッチＳＷをオンする。そして、センサ３７に対して接触操作がなされた状態で、例えば、靴１ａを使用した足踏み動作が所定時間内に連続して２回なされる。この足踏み動作に応じて発電部１８が電力を生成する。生成された電力がコントロール信号生成ブロック１００に供給される。
【０１１４】
コントロール信号生成ブロック１００は、発電部１８から供給される電力に対して、フィルタ１００ａを使用したフィルタ処理を行う。フィルタ処理がなされた信号がＡ／Ｄ変換部１００ｂによってデジタル信号に変換される。デジタル信号が演算部１００ｃに供給される。演算部１００ｃは、Ａ／Ｄ変換部１００ｂから供給されたデジタル信号を使用して、電力量の変化のサイクル数を判別する。この例では、２回の足踏み動作に応じて、１サイクルの電力量の変化が演算部１００ｃにより２回、測定される。演算部１００ｃは、サイクル数が２回であることから、足踏み動作が２回なされたと判別する。
【０１１５】
演算部１００ｃは、判別した足踏み動作の回数に対応するコントロール信号を生成する。演算部１００ｃは、足踏み動作の回数が２回であることに対応して、例えば、音楽コンテンツの再生を開始させるためのコントロール信号を生成する。生成されたコントロール信号がスイッチＳＷを介して制御部１１に供給される。
【０１１６】
制御部１１は、コントロール信号生成ブロック１００から供給されたコントロール信号に応じた処理を行う。制御部１１は、例えば、音楽コンテンツの再生を開始する処理を行う。すなわち、制御部１１は、記憶部１６から所定の音楽コンテンツデータを読み出し、読み出した音楽コンテンツデータに対して再生処理を行う。制御部１１は、再生処理を施した音楽コンテンツデータを通信部３１に供給する。通信部３１から通信部３２に音楽コンテンツデータが送信される。通信部３２において、音楽コンテンツデータに対する復調処理等がなされ、復調処理等がなされた音楽コンテンツデータが増幅部３３に供給される。増幅部３３によって音楽コンテンツデータが増幅され、増幅された音楽コンテンツがスピーカ３４から再生される。
【０１１７】
センサ３７に対する接触操作が解除されると、センサ３７は、動作検出信号の出力を停止する。そして、制御部１１に対する動作検出信号の供給が停止する。動作検出信号の供給が停止すると、制御部１１は、スイッチＳＷをオフする。スイッチＳＷがオフされた後は、コントロール信号生成ブロック１００から出力されたコントロール信号は制御部１１に供給されない。
【０１１８】
なお、センサ３７に対して接触操作がなされた状態で、例えば、３回の足踏み動作がなされると、第２の実施形態で説明した処理と同様の処理によって、音楽コンテンツの再生を停止するコントロールを行うことができる。
【０１１９】
このように、携帯型音楽再生機３０では、発電部１８が生成する電力によってコントロール信号が形成され、形成されたコントロール信号が制御部１１に供給される。すなわち、操作部１３およびコントロール信号生成ブロック１００がコントローラとして機能する。なお、携帯型音楽再生機３０に対する全てのコントロールが足踏み動作によってなされるようにし、操作部１３の構成を省略してもよい。この場合は、コントロール信号生成ブロック１００のみがコントローラとして機能する。
【０１２０】
モーションによるコントロールがなされる場合でも、発電部１８が生成する電力の多くを蓄電部１９に供給し、蓄電部１９を蓄電することができる。したがって、蓄電部１９から携帯型音楽再生機３０の各部に対する電力の供給が継続し、携帯型音楽再生機３０の動作が停止することはない。さらに、センサ３７に対して接触操作がなされているときのみにモーションによるコントロールが可能となるため、足踏み動作に応じて意図しない処理が行われることを防止できる。さらに、音楽コンテンツデータが無線により送受信されるため、ケーブルが不要となる。
【０１２１】
携帯型音楽再生機３０の変形例について説明する。なお、以下に説明する変形例は、第３の実施形態に限らず、他の実施形態に対しても技術的矛盾が生じない範囲で適用できる。上述した携帯型音楽再生機３０は、ヘッドセット３０ｃに発電部３５および蓄電部３６を設けたが、ヘッドセット３０ｃで使用される電力を発電部１８が発電する電力で賄うようにしてもよい。
【０１２２】
図１５に示すように、例えば、発電部１８により生成された電力が、電力送信部９１に供給される。電力送信部９１に供給された電力が、電力中継部９２を介して、ヘッドセット３０ｃに設けられた電力受信部９３に無線伝送される。無線伝送された電力が電力受信部９３により受信される。電力受信部９３からヘッドセット３０ｃの各部に電力が供給される。電力受信部９３により受信された電力によりヘッドセット３０ｃの蓄電部が蓄電され、蓄電部からヘッドセット３０ｃの各部に電力が供給されるようにしてもよい。
【０１２３】
図１６に示すように、例えば、蓄電部１９から電力送信部９１に電力が供給されるようにしてもよい。電力送信部９１に供給された電力が、電力中継部９２を介して、ヘッドセット３０ｃに設けられた電力受信部９３に無線伝送される。無線伝送された電力が電力受信部９３で受信される。電力受信部９３からヘッドセット３０ｃの各部に電力が供給される。電力受信部９３によって受信された電力によりヘッドセット３０ｃの蓄電部が蓄電され、蓄電部からヘッドセット３０ｃの各部に電力が供給されるようにしてもよい。
【０１２４】
電力送信部９１は、例えば、靴１ａに取り付けられており、電力受信部９３は、例えば、ヘッドセット３０ｃに取り付けられている。電力中継部９２は、必要に応じて設けられる。電力中継部９２は、例えば、ユーザの腰付近に取り付け可能とされる。
【０１２５】
電力送信部９１と電力受信部９３との間で、例えば、無線による電力の伝送がなされる。無線による電力の伝送方式は、例えば、電波方式、電磁誘導方式、電磁界共鳴方式が挙げられる。電波方式の場合は、電力送信部９１と電力受信部９３とが例えば、アンテナで構成される。電磁誘導方式や電磁界共鳴方式の場合は、電力中継部９２が設けられ、電力中継部９２と電力受信部９３とが例えば、コイルで構成される。
【０１２６】
電力送信部９１と電力受信部９３との間で、人体を導体とした人体通信によって電力が伝送されるようにしてもよい。例えば、送信電極としての電力送信部９１から送信された電力が人体を導体として伝送され、伝送された電力が受信電極としての電力受信部９３によって受信されるようにしてもよい。
【０１２７】
このように、発電部１８が生成する電力をヘッドセット３０ｃに供給することができる。このため、ヘッドセット３０ｃに発電部を設ける必要がなくなり、ヘッドセット３０ｃの小型化および軽量化を図ることができる。
【０１２８】
＜４．第４の実施形態＞
「第４の実施形態の概要」
次に、第４の実施形態について説明する。図１７は、第４の実施形態の概要を示す。第４の実施形態の携帯型音楽再生機４０は、発電部を含む構成４０ａが靴１ａと一体的に形成され、携帯型音楽再生機４０の他の構成がヘッドセット４０ｂとして構成されている。発電部４０ａによって発電された電力が、無線によってヘッドセット４０ｂに供給される。
【０１２９】
「携帯型音楽再生機の構成」
図１８は、携帯型音楽再生機４０の構成の一例を示す。携帯型音楽再生機４０において、発電部４０ａに対応する、発電部１８および伝送部４１が靴１ａに取り付けられている。発電部１８は、上述したように、靴１ａを使用した足踏み動作に応じて電力を生成する。発電部１８により生成された電力が伝送部４１に供給される。伝送部４１は、発電部１８が生成した電気信号を、例えば、電波によってヘッドセット４０ｂに供給する。
【０１３０】
ヘッドセット４０ｂは、制御部１１を含み、制御部１１に、操作部１３と、記憶部１６と、センサ４３と、増幅部４４とが接続される。さらに、制御部１１には、スイッチＳＷを介してコントロール信号生成ブロック１００が接続される。増幅部４４には、スピーカ４５が接続され、記憶部１６には外部Ｉ／Ｆ１７が接続される。ヘッドセット４０ｂは、蓄電部１９を備え、蓄電部１９から供給される電力によって、ヘッドセット４０ｂの各部が動作する。図において電力の供給ラインの一例を点線で示す。
【０１３１】
ヘッドセット４０ｂにおいて、コントロール信号生成ブロック１００および蓄電部１９が伝送部４２と接続されている。伝送部４２は、伝送部４１から伝送される電力を受信する。伝送部４２により受信された電力が蓄電部１９に供給され、蓄電部１９が蓄電される。さらに、伝送部４２は、伝送部４１から伝送された電力をコントロール信号生成ブロック１００に供給する。コントロール信号生成ブロック１００は、伝送部４２から供給される電力に応じたコントロール信号を生成する。コントロール信号生成ブロック１００によって生成されたコントロール信号が、スイッチＳＷを介して制御部１１に供給される。
【０１３２】
センサ４３は、例えば、センサ４３に対する接触動作を検出するセンサである。熱を検出するセンサでもよい。センサ４３は、ヘッドセット４０ｂの表面に取り付けられる。センサ４３は、センサ４３に対する接触操作を検出すると、動作検出信号を生成する。センサ４３は、生成した動作検出信号を制御部１１に供給する。動作検出信号が供給されることに応じて、制御部１１はスイッチＳＷをオンする。携帯型音楽再生機４０に対してモーションによるコントロールを行うときに、センサ４３に対する接触操作がなされる。
【０１３３】
増幅部４４は、制御部１１から供給される音楽コンテンツデータを増幅し、増幅した音楽コンテンツデータをスピーカ４５に供給する。スピーカ４５から音楽コンテンツが再生される。
【０１３４】
「携帯型音楽再生機の動作」
携帯型音楽再生機４０の動作の一例について説明する。例えば、ヘッドセット４０ｂが装着された状態で、靴１を使用した歩行等の動作がなされる。歩行等の動作に伴う足踏み動作に応じて、発電部１８が電力を生成する。発電部１８によって生成された電力が伝送部４１を介してヘッドセット４０ｂに無線で伝送される。伝送された電力が、ヘッドセット４０ｂの伝送部４２によって受信される。伝送部４２で受信された電力が蓄電部１９に供給され、蓄電部１９が蓄電される。ヘッドセット４０ｂの各部に対して蓄電部１９から電力が供給される。
【０１３５】
携帯型音楽再生機４０に対して、例えば、操作部１３を使用した操作がなされる。例えば、操作部１３に対して音楽コンテンツの再生を指示する操作がなされると、操作部１３は、音楽コンテンツの再生を開始するためのコントロール信号を生成する。操作部１３により生成されたコントロール信号が制御部１１に供給される。制御部１１は、供給されたコントロール信号に応じて所定の音楽コンテンツデータを記憶部１６から読み出す。制御部１１は、読み出した音楽コンテンツデータに対して、復号処理等の再生処理を行う。再生処理が施された音楽コンテンツデータが増幅部４４に供給される。
【０１３６】
増幅部４４は、制御部１１から供給された音楽コンテンツデータを増幅する。増幅された音楽コンテンツデータがスピーカ４５に供給される。スピーカ４５から音楽コンテンツが再生される。なお、操作部１３は、例えば、手元で操作可能なリモートコントロール装置で構成されてもよい。
【０１３７】
携帯型音楽再生機４０に対して、モーションによるコントロールが可能とされる。例えば、足踏み動作によって携帯型音楽再生機４０がコントロールされる。モーションによるコントロールを行う際には、例えば、ヘッドセンサ４０ｂにおけるセンサ４３を触れる接触操作がなされる。接触操作がなされると、センサ４３は動作検出信号を生成し、生成した動作検出信号を制御部１１に供給する。動作検出信号が供給されることに応じて、制御部１１はスイッチＳＷをオンする。そして、センサ４３に対して接触操作がなされた状態で、例えば、靴１ａを使用した足踏み動作が所定時間内に連続して２回なされる。この足踏み動作に応じて発電部１８が電力を生成する。
【０１３８】
生成された電力が伝送部４１から送信される。送信された電力が伝送部４２によって受信される。伝送部４２によって受信された電力が蓄電部１９およびコントロール信号生成ブロック１００に供給される。なお、モーションによって携帯型音楽再生機４０を制御する際は、伝送部４２からコントロール信号生成ブロック１００のみに電力が供給されるようにしてもよい。
【０１３９】
コントロール信号生成ブロック１００は、上述したようにフィルタ１００ａと、Ａ／Ｄ変換部１００ｂと、演算部１００ｃとを備える。発電部１８から供給される電力に対して、フィルタ１００ａを使用したフィルタ処理が行われ、フィルタ処理が行われた信号がＡ／Ｄ変換部１００ｂによってデジタル信号に変換される。デジタル信号が演算部１００ｃに供給される。演算部１００ｃは、フィルタ処理がなされたデジタル信号を使用して、発電部１８が発電する電力量の変化を測定する。
【０１４０】
演算部１００ｃは、Ａ／Ｄ変換部１００ｂから供給されるデジタル信号を使用して、電力の電力量の変化のサイクル数を測定する。演算部１００ｃは、測定したサイクル数から足踏み動作がなされた回数を検出する。演算部１００ｃは、例えば、１サイクルの電力量の変化が２回、測定され、サイクル数が２である場合は、２回の足踏み動作がなされたものと判別する。
【０１４１】
演算部１００ｃは、判別した足踏み動作の回数に対応するコントロール信号を生成する。演算部１００ｃは、足踏み動作の回数が２回であることに対応して、例えば、音楽コンテンツの再生を開始させるためのコントロール信号を生成する。生成されたコントロール信号がスイッチＳＷを介して制御部１１に供給される。
【０１４２】
制御部１１は、コントロール信号生成ブロック１００から供給されたコントロール信号に応じた処理を行う。制御部１１は、例えば、音楽コンテンツの再生を開始する処理を行う。すなわち、制御部１１は、記憶部１６から所定の音楽コンテンツデータを読み出し、読み出した音楽コンテンツデータに対して再生処理を行う。制御部１１は、再生処理を施した音楽コンテンツデータを増幅部４４に供給する。増幅部４４によって音楽コンテンツデータが増幅され、増幅された音楽コンテンツデータがスピーカ４５を介して再生される。
【０１４３】
センサ４３に対する接触操作が解除されると、センサ４３から制御部１１に対する動作検出信号の供給が停止する。動作検出信号の供給が停止すると、制御部１１は、スイッチＳＷをオフする。スイッチＳＷがオフされた後は、コントロール信号生成ブロック１００から出力されたコントロール信号は制御部１１に供給されない。
【０１４４】
なお、センサ４３に対して接触操作がなされた状態で、例えば、３回の足踏み動作がなされた場合に、第２の実施形態で説明した処理と同様の処理によって、音楽コンテンツの再生を停止するコントロールを行うことができる。この他にも、足踏み動作の回数に応じて、携帯型音楽再生機４０に対する様々なコントロールを行うことができる。
【０１４５】
このように、携帯型音楽再生機４０では、発電部１８が生成する電力によってコントロール信号が形成され、形成されたコントロール信号が制御部１１に供給される。すなわち、操作部１３およびコントロール信号生成ブロック１００がコントローラとして機能する。なお、携帯型音楽再生機４０に対する全てのコントロールがモーションによってなされるようにし、操作部１３の構成を省略してもよい。この場合は、コントロール信号生成ブロック１００のみがコントローラとして機能する。
【０１４６】
なお、発電部１８および伝送部４１を靴１ａに対して着脱可能としてもよい。発電部１８および伝送部４１を、例えば、靴１ａの中敷きに対して着脱可能としてもよい。このような構成によって、特定の靴に限定されず、実際に使用される靴により発電することができる。発電部が靴に内蔵されて装着されてもよく、靴に着脱自在とされる発電部が、靴に取り付けられて装着されてもよい。さらに、携帯型音楽再生機４０において、第３の実施形態と同様に、音楽コンテンツデータをヘッドセット４０ｂに送信してもよい。
【０１４７】
＜５．第５の実施形態＞
「第５の実施形態の概要」
次に、第５の実施形態について説明する。第５の実施形態における携帯型音楽再生機は、発電部を備え、発電部の発電状況に応じて、再生する音楽コンテンツを選択する例である。発電部の発電状況に応じて、音楽コンテンツの再生態様を変化させるようにしてもよい。
【０１４８】
「携帯型音楽再生機の構成」
図１９は、第５の実施形態における携帯型音楽再生機５０の構成の一例を示す。携帯型音楽再生機５０は、例えば、靴１ａに取り付けられている。携帯型音楽再生機５０においてヘッドセットを使用し、ヘッドセットから音楽コンテンツの再生がなされるようにしてもよい。
【０１４９】
携帯型音楽再生機５０は、制御部１１を備える。制御部１１に、表示部１２と、操作部１３と、増幅部１４と、記憶部１６と、発電状況取得部５１とが接続される。スピーカ１５が増幅部１４に接続される。外部Ｉ／Ｆ１７が記憶部１６に接続される。携帯型音楽再生機５０は、発電部１８を備える。発電部１８は、足踏み動作に応じて電力を生成する。発電部１８が生成した電力が蓄電部１９に供給され、蓄電部１９が蓄電される。蓄電部１９から携帯型音楽再生機５０の各部に対して電力が供給され、携帯型音楽再生機５０が動作する。図において電力の供給ラインの一例を点線で示す。
【０１５０】
記憶部１６には、例えば、複数の音楽コンテンツデータが記憶される。それぞれの音楽コンテンツデータには、メタデータが対応付けられている。メタデータは、例えば、タイトル、再生時間、ＢＰＭ(Beats Per Minute)である。ＢＰＭは、音楽コンテンツにおいて、平均的に１分間にいくつの４分音符が入るかを示す単位である。制御部１１の制御によって、メタデータの内容を表示部１２に表示させることもできる。
【０１５１】
発電状況取得部５１は、発電部１８の発電状況を取得する。発電状況取得部５１は、例えば、発電部１８が出力する複数の電気信号間の時間の間隔ｔを取得する。例えば、あるタイミングで発電部１８が電気信号を出力し、０．５秒後に発電部１８がさらに電気信号を出力した場合は、間隔ｔは０．５となる。発電状況取得部５１は、発電部１８から出力される電気信号のレベルや、発電部１８から出力される電気信号の出力回数を取得するようにしてもよい。所定時間内に取得される複数の間隔の平均値を間隔ｔとしてもよい。
【０１５２】
発電状況取得部５１において、例えば、コントロール信号生成ブロック１００と同様の処理がなされてもよい。例えば、発電状況取得部５１がフィルタ１００ａ、Ａ／Ｄ変換部１００ｂ、演算部１００ｃを備えるようにしてもよい。発電状況取得部５１は、発電部１８が生成する電力に対してフィルタ１００ａによるフィルタ処理を行い、フィルタ処理を行った後にＡ／Ｄ変換部１００ｂによってデジタル信号を形成する。演算部１００ｃは、デジタル信号を使用して、所定時間内における、電力量の変化のサイクル数を求める。サイクル数から、所定時間内になされた足踏み動作の回数を検出するようにしてもよい。
【０１５３】
発電状況取得部５１は、間隔ｔに応じてコンテンツ選択信号を生成する。生成されたコンテンツ選択信号が制御部１１に供給される。制御部１１は、コンテンツ選択信号に応じて再生するコンテンツを選択する。
【０１５４】
「携帯型音楽再生機の動作」
携帯型音楽再生機５０の動作の一例について説明する。靴１を使用した歩行等がなされ、歩行等に伴い足踏み動作がなされる。足踏み動作がなされることで発電部１８が電力を生成する。生成された電力が蓄電部１９に供給され、蓄電部１９が蓄電される。
【０１５５】
発電状況取得部５１は、発電部１８が出力する電力（電気信号）の間隔ｔを取得する。発電状況取得部５１は、取得した間隔ｔに応じてコンテンツ選択信号を生成する。発電状況取得部５１は、例えば、閾値Ｔｈ１および閾値Ｔｈ２（但し、Ｔｈ１＜Ｔｈ２）と間隔ｔとを比較し、以下のいずれのパターンに該当するかを判別する。
ｔ＜Ｔｈ１・・・パターン（１）
Ｔｈ１≦ｔ≦Ｔｈ２・・・パターン（２）
Ｔｈ２＜ｔ・・・パターン（３）
【０１５６】
パターン（１）は、間隔ｔが短いことを示し、発電部１８から電気信号が頻繁に出力されていることを示す。すなわち、足踏み動作が頻繁に行われていることを示し、靴１を使用して走行がなされているものと発電状況取得部５１が判別する。
【０１５７】
パターン（２）は、間隔ｔが通常の間隔であることを示す。すなわち、靴１を使用して、平均的な速度の歩行がなされているものと発電状況取得部５１が判別する。
【０１５８】
パターン（３）は、間隔ｔが長いことを示す。すなわち、靴１を使用して、ゆったりとした歩行がなされているものと発電状況取得部５１が判別する。
【０１５９】
発電状況取得部５１は、判別結果に応じてコンテンツ選択信号を生成する。発電状況取得部５１は、パターン（１）と判別した場合は、テンポが速い音楽コンテンツを選択するためのコンテンツ選択信号を生成する。例えば、ＢＰＭが１６０以上の音楽コンテンツデータを選択するコンテンツ選択信号を生成する。生成されたコンテンツ選択信号が発電状況取得部５１から制御部１１に供給される。
【０１６０】
制御部１１は、供給されたコンテンツ選択信号に応じて、記憶部１６に記憶された音楽コンテンツデータから所定の音楽コンテンツデータを選択する。制御部１１は、例えば、音楽コンテンツデータ毎に対応づけられたメタデータを参照して、ＢＰＭが１６０以上の音楽コンテンツデータを記憶部１６から読み出す。読み出された音楽コンテンツデータに対して制御部１１による再生処理がなされ、再生処理がなされた音楽コンテンツデータが増幅部１４で増幅される。増幅された音楽コンテンツデータがスピーカ１５から再生される。
【０１６１】
発電状況取得部５１は、パターン（２）と判別した場合は、通常のテンポの音楽コンテンツを選択するためのコンテンツ選択信号を生成する。例えば、ＢＰＭが９０以上で１６０未満の音楽コンテンツデータを選択するためのコンテンツ選択信号を生成する。生成されたコンテンツ選択信号が発電状況取得部５１から制御部１１に供給される。
【０１６２】
制御部１１は、供給されたコンテンツ選択信号に応じて、記憶部１６に記憶された音楽コンテンツデータから所定の音楽コンテンツデータを選択する。制御部１１は、例えば、音楽コンテンツデータ毎に対応づけられたメタデータを参照して、ＢＰＭが９０以上で１６０未満の音楽コンテンツデータを記憶部１６から読み出す。読み出された音楽コンテンツデータに対して制御部１１による再生処理がなされ、再生処理がなされた音楽コンテンツデータが増幅部１４で増幅される。増幅された音楽コンテンツデータがスピーカ１５から再生される。
【０１６３】
発電状況取得部５１は、パターン（３）と判別した場合は、テンポが遅い音楽コンテンツを選択するためのコンテンツ選択信号を生成する。例えば、ＢＰＭが９０未満の音楽コンテンツデータを選択するためのコンテンツ選択信号を生成する。生成されたコンテンツ選択信号が発電状況取得部５１から制御部１１に供給される。
【０１６４】
制御部１１は、供給されたコンテンツ選択信号に応じて、記憶部１６に記憶された音楽コンテンツデータから所定の音楽コンテンツデータを選択する。制御部１１は、例えば、音楽コンテンツデータ毎に対応づけられたメタデータを参照して、ＢＰＭが９０未満の音楽コンテンツデータを記憶部１６から読み出す。読み出された音楽コンテンツデータに対して制御部１１による再生処理がなされ、再生処理がなされた音楽コンテンツデータが増幅部１４で増幅される。増幅された音楽コンテンツデータがスピーカ１５から再生される。
【０１６５】
このように、発電部１８から出力される電気信号（電力）に応じて歩行等の状況が判別され、判別結果に応じた音楽コンテンツが再生される。例えば、ゆっくり歩いているときはテンポが遅い音楽コンテンツが再生され、通常の速度の歩行のときは通常のテンポの音楽コンテンツが再生され、走っているときはテンポが速い音楽コンテンツを再生でき、歩行等の速度に適したテンポの音楽コンテンツを再生できる。さらに、発電部１８が生成する電力に応じて歩行等の速度が判別できるため、歩行等の速度を測定するためのセンサ等を設ける必要がない。
【０１６６】
なお、上述した発電状況取得部５１の機能を制御部１１が有するようにしてもよい。すなわち、制御部１１が発電部１８の発電状況を取得し、発電状況に応じて音楽コンテンツデータを選択するようにしてもよい。間隔ｔを示す信号が発電状況取得部５１から制御部１１に供給され、制御部１１によって上述したパターンを判別する処理などがなされてもよい。
【０１６７】
発電状況に応じて、再生中の音楽コンテンツの再生態様を変化させる処理が制御部１１によってなされるようにしてもよい。制御部１１は、例えば、音楽コンテンツデータのテンポを変化させるテンポコントロール機能を有する。テンポを変化させる処理は、公知の処理を適用できる。パターン（１）の場合は、再生中の音楽コンテンツのテンポを速くする処理がなされ、パターン（３）の場合には、再生中の音楽コンテンツのテンポを遅くする処理が制御部１１によってなされるようにしてもよい。パターン（２）の場合は、音楽コンテンツのテンポは変化されない。発電状況から歩行等の速度が判別され、歩行等の速度に適したテンポで音楽コンテンツを再生することができる。
【０１６８】
音楽コンテンツデータを選択する際に使用されるメタデータの内容は、ＢＰＭに限られない。例えば、メタデータとして「散歩用」「ウォーキング用」「運動用」からなる使用ジャンルが音楽コンテンツデータ毎に対応づけられる。発電状況からパターン（１）と判別された場合に、運動用のメタデータが対応付けられている音楽コンテンツデータが再生され、パターン（２）と判別された場合に、ウォーキング用のメタデータが対応付けられている音楽コンテンツデータが再生され、パターン（３）と判別された場合に散歩用のメタデータが対応付けられている音楽コンテンツデータが再生されるようにしてもよい。
【０１６９】
閾値は、２個に限られることはない。例えば、５個の閾値を使用して、発電状況をより詳細に分析し、分析結果に応じて音楽コンテンツデータを選択するようにしてもよい。さらに、歩行等の速度に適した音楽コンテンツデータが制御部１１によって自動的に生成されるようにしてもよい。
【０１７０】
発電状況取得部５１によって、所定時間内でなされた足踏み動作の回数が判別可能な場合は、判別された足踏み動作の回数に応じて、再生する音楽コンテンツを選択してもよい。足踏み動作の回数に応じて、音楽コンテンツの再生態様を変化させてもよい。例えば、所定時間を１０秒間とし、１０秒間で２０回以上の足踏み動作がなされたと判別された場合は、パターン（１）と同様にテンポの速い音楽コンテンツデータが選択される。１０秒間で７回以上２０回未満の足踏み動作がなされた場合は、パターン（２）と判別された場合と同様に通常のテンポの音楽コンテンツデータが選択される。１０秒間で７回未満の足踏み動作がなされた場合は、パターン（３）と同様にテンポの遅い音楽コンテンツデータが選択されるようにしてもよい。
【０１７１】
＜６．第６の実施形態＞
「第６の実施形態の概要」
次に、第６の実施形態について説明する。第６の実施形態では、発電状況に応じて再生する音楽コンテンツが選択されるとともに、携帯型音楽再生装置に対してモーションによるコントロールが可能とされる。
【０１７２】
「携帯型音楽再生機の構成および動作」
図２０は、第６の実施形態における携帯型音楽再生機６０の構成の一例を示す。携帯型音楽再生機６０は、携帯型音楽再生機５０の構成に、検出部２１と、コントロール信号生成ブロック１００と、スイッチＳＷとが付加されたものである。検出部２１は、制御部１１に対して接続される。コントロール信号生成ブロック１００は、発電部１８と接続される。コントロール信号生成ブロック１００は、さらに、スイッチＳＷを介して制御部１１に接続される。図において電力の供給ラインの一例を点線で示す。
【０１７３】
携帯型音楽再生機６０に対して、モーションによるコントロールが可能とされる。例えば、足踏み動作によって携帯型音楽再生機６０をコントロールできる。足踏み動作によってコントロールを行う処理は、例えば、第２の実施形態における携帯型音楽再生機２０の同様であるので、概略的な説明にとどめる。
【０１７４】
検出部２１が例えば押下されながら、靴１ａを使用した足踏み動作がなされる。検出部２１が押下されることでスイッチＳＷが制御部１１によりオンされる。足踏み動作にともなって発電部１８が生成する信号に応じて、コントロール信号生成ブロック１００がコントロール信号を生成する。例えば、コントロール信号生成ブロック１００によって足踏み動作の回数が判別され、足踏み動作の回数に応じたコントロール信号が生成される。生成されたコントロール信号が、コントロール信号生成ブロック１００からスイッチＳＷを介して制御部１１に供給される。制御部１１は、供給されたコントロール信号に応じた処理を行う。
【０１７５】
さらに、携帯型音楽再生機６０では、発電状況に応じて歩行等の速度を判別し、歩行等の速度に適したテンポを有する音楽コンテンツを再生することができる。処理の内容は、上述した第５の実施形態と同様であり、重複した説明を省略する。
【０１７６】
携帯型音楽再生機６０は、例えば、以下のように使用できる。歩行等の開始時に検出部２１を操作しながら足踏み動作を２回行い、音楽コンテンツの再生を開始させる。そして、検出部２１に対する操作を解除して、例えば、走行を開始する。走行の速度に適したテンポの音楽コンテンツがスピーカ１５から再生される。ヘッドセットを使用して音楽コンテンツを再生してもよい。携帯型音楽再生機６０の使用例は、上述の使用例に限られることはない。
【０１７７】
さらに、スイッチＳＷおよび発電状況取得部５１を省略してもよい。例えば、検出部２１が操作されているときは、上述した処理によってコントロール信号生成ブロック１００がコントロール信号を生成する。生成されたコントロール信号が制御部１１に供給される。検出部２１が操作されていないときは、コントロール信号生成ブロック１００により、所定時間内における足踏み動作の回数が判別される。判別された足踏み動作の回数が制御部１１に供給される。制御部１１は、供給された足踏み動作の回数に応じて音楽コンテンツを選択したり、音楽コンテンツの再生態様を変化させる。このように、発電状況取得部５１の機能をコントロール信号生成ブロック１００が有するようにしてもよい。コントロール信号生成ブロック１００の機能が制御部１１によって切り替えられてもよい。
【０１７８】
＜７．第７の実施形態＞
「第７の実施形態の概要」
次に、第７の実施形態について説明する。第７の実施形態は、蓄電部の残容量に応じて音楽コンテンツの再生態様を変化させる例である。
【０１７９】
「携帯型音楽再生機の構成」
図２１は、携帯型音楽再生機７０の構成の一例を示す。携帯型音楽再生機７０は、例えば、靴１ａに取り付けられている。携帯型音楽再生機７０においてヘッドセットを使用し、ヘッドセットから音楽コンテンツが再生されてもよい。
【０１８０】
携帯型音楽再生機７０は、制御部１１を備える。制御部１１は、再生中の音楽コンテンツデータのテンポを変化させるテンポコントロール機能を有する。制御部１１に、表示部１２と、操作部１３と、増幅部１４と、記憶部１６と、残容量取得部７１とが接続される。スピーカ１５が増幅部１４に接続される。外部Ｉ／Ｆ１７が記憶部１６に接続される。
【０１８１】
携帯型音楽再生機７０は、発電部１８を備える。発電部１８は、足踏み動作に応じて電力を生成する。発電部１８により生成された電力が蓄電部１９に供給され、蓄電部１９が蓄電される。蓄電部１９から携帯型音楽再生機７０の各部に対して電力が供給され、携帯型音楽再生機７０が動作する。図において電力の供給ラインの一例を点線で示す。
【０１８２】
記憶部１６には、例えば、複数の音楽コンテンツデータが記憶される。それぞれの音楽コンテンツデータには、メタデータが対応付けられている。メタデータは、例えば、タイトル、再生時間、ＢＰＭである。メタデータの内容を、制御部１１の制御によって表示部１２に表示させることもできる。
【０１８３】
制御部１１には、残容量取得部７１が接続される。残容量取得部７１は、蓄電部１９に対して接続され、蓄電部１９の残容量を取得する。蓄電部１９が、例えば、リチウムイオン２次電池である場合には、残容量取得部７１は、リチウムイオン２次電池の端子間の電圧を測定することで残容量を取得する。残容量取得部７１は、蓄電部１９の残容量を示す残容量信号を制御部１１に供給する。蓄電部１９の残容量が、所定値以下、例えば、満充電に対して３０％以下に低下したときに残容量信号が制御部１１に供給されるようにしてもよい。
【０１８４】
制御部１１は、供給された残容量信号に応じた処理を行う。制御部１１は、残容量信号で示される残容量が例えば３０％以下に低下した場合に、再生中の音楽コンテンツのテンポを速くする処理を行う。制御部１１によってテンポコントロールがなされた音楽コンテンツデータが増幅部１４によって増幅され、増幅された音楽コンテンツデータがスピーカ１５に供給される。なお、テンポを速くするテンポコントロールの方法は、公知の方法を適用できる。
【０１８５】
「携帯型音楽再生機の動作」
携帯型音楽再生機７０の動作の一例について説明する。携帯型音楽再生機７０が使用され、制御部１１によって記憶部１６から読みだされた音楽コンテンツデータが、スピーカ１５から再生される。残容量取得部７１は、残容量信号を生成し、生成した残容量信号を制御部１１に供給する。
【０１８６】
制御部１１は、供給された残容量信号に応じた処理を行う。制御部１１は、残容量信号で示される残容量が例えば３０％以下に低下した場合に、再生中の音楽コンテンツのテンポを速くする処理を行う。制御部１１によってテンポコントロールがなされた音楽コンテンツデータが増幅部１４によって増幅され、増幅された音楽コンテンツデータがスピーカ１５に供給される。
【０１８７】
一般に、音楽コンテンツを聴きながら歩行等がなされるときは、歩行等の速度が音楽コンテンツのテンポに追従することが知られている。このため、再生中の音楽コンテンツのテンポが速くなると、歩行等の速度が速くなる。歩行等の速度が速くなることで靴１ａを使用した足踏み動作の回数が増加する。足踏み動作の回数が増加することで、発電部１８によって生成される電力が増加する。すなわち、発電部１８によって発電される電力が増加し、蓄電部１９に対して供給される電力量が増加する。このため、残容量が低下した蓄電部１９を速やかに充電することができる。
【０１８８】
なお、残容量信号に応じて制御部１１が行う処理は、音楽コンテンツデータのテンポを速くする処理に限られない。残容量信号に応じて、制御部１１が一部の処理を停止してもよい。例えば、残容量信号で示される残容量が３０％以下に低下した場合に、制御部１１がイコライザを使用した処理を行わないようにしてもよい。制御部１１によって実行される処理の一部が停止されることで、制御部１１により消費される電力を減少させることができ、蓄電部１９の残容量が低下することを防止できる。イコライザの処理が省略された再生処理が施された音楽コンテンツデータがスピーカ１５から再生される。残容量信号に応じて、制御部１１が音楽コンテンツデータのレベルを低下させる処理を行うようしてもよい。
【０１８９】
残容量信号で示される残容量が、例えば、３０％以下に低下した場合に、イコライザの処理を停止し、さらに、残容量が１０％以下に低下した場合に、音楽コンテンツのテンポを速くする処理がなされるようにしてもよい。
【０１９０】
なお、残容量取得部７１の機能を制御部１１が有するようにしてもよい。制御部１１が蓄電部１９の残容量を取得し、残容量に応じてコンテンツの再生態様を変化させるようにしてもよい。
【０１９１】
＜８．第８の実施形態＞
「第８の実施形態の概要」
次に、第８の実施形態について説明する。第８の実施形態では、蓄電部の残容量に応じて音楽コンテンツの再生態様を変化させるとともに、発電部１８が生成する電力によってコントロール信号を形成する例である。
【０１９２】
「携帯型音楽再生機の構成および動作」
図２２は、携帯型音楽再生機８０の構成の一例を示す。携帯型音楽再生機８０は、携帯型音楽再生機７０の構成に、検出部２１と、コントロール信号生成ブロック１００と、スイッチＳＷとが付加されたものである。検出部２１が制御部１１に接続される。コントロール信号生成ブロック１００がスイッチＳＷを介して制御部１１に接続される。コントロール信号生成ブロック１００は発電部１８に接続され、発電部１８が生成する電力によってコントロール信号を形成する。図において電力の供給ラインの一例を点線で示す。
【０１９３】
携帯型音楽再生機８０に対して、例えば、モーションによるコントロールを行うことができる。モーションによるコントロールの処理の内容は、例えば、第２の実施形態における携帯型音楽再生機２０における処理と同様であるので、概略的な説明にとどめる。
【０１９４】
検出部２１が、例えば押下されながら、靴１ａを使用した足踏み動作がなされる。検出部２１が押下されることでスイッチＳＷが制御部１１によりオンされる。足踏み動作にともなって発電部１８が電力を生成する。生成された電力がコントロール信号生成ブロック１００に供給する。コントロール信号生成ブロック１００は、供給された電力からコントロール信号を生成する。例えば、コントロール信号生成ブロック１００によって足踏み動作の回数が判別され、足踏み動作の回数に応じたコントロール信号が生成される。生成されたコントロール信号が、コントロール信号生成ブロック１００からスイッチＳＷを介して制御部１１に供給される。制御部１１は、供給されたコントロール信号に応じた処理を行う。
【０１９５】
携帯型音楽再生機８０では、蓄電部１９の残容量に応じて音楽コンテンツの再生態様を変化させる処理が行われる。例えば、蓄電部１９の残容量が低下すると、音楽コンテンツのテンポを速くする処理が制御部１１によって行われる。処理の内容は、上述した携帯型音楽再生機７０と同様の処理であるので重複した説明を省略する。
【０１９６】
携帯型音楽再生機８０において、ヘッドセットを設け、ヘッドセットから音楽コンテンツが再生されてもよい。検出部２１に代えて、ヘッドセットに設けられるセンサ３７によって動作検出信号が生成されるようにしてもよい。
【０１９７】
＜９．変形例＞
以上、本開示の複数の実施形態について具体的に説明したが、本開示は、これらの実施形態に限定されるものではない。上述した複数の実施形態では、コンテンツの一例として音楽コンテンツを例にしたが、他の映像コンテンツなどに対して本開示を適用することができる。
【０１９８】
本開示は、携帯型音楽再生機に限られることはない。例えば、本開示は、携帯電話やスマートフォンに対して適用できる。例えば、表示部を有するスマートフォンに、振動によって発電する発電部を設けてもよい。通常の使用時には、スマートフォンが振られることで発電部が発電し、蓄電部が蓄電される。そして、例えば、表示部の所定箇所が触れられた状態でスマートフォンが振られると、発電部が発電するとともに、振られた回数に応じたコントロール信号が生成されるようにしてもよい。コントロール信号に応じて、例えば、メニュー画面が遷移されるようにしてもよい。さらに、本開示をディジタルスチルカメラに適用してもよい。発電部の発電する電力によってディジタルスチルカメラのイメージャを動作させるようにしてもよい。
【０１９９】
本開示におけるモーションは、足踏み動作に限られるとはない、発電部は、足踏み動作とは異なる動作で発電するようにしてもよい。例えば、圧電素子等のように、発電部が変形することで発電するようにしてもよい。そして、発電部を、例えば、ユーザの肘に取り付け可能とし、肘の屈曲動作に応じて発電部が変形し発電するようにしてもよい。腕を振るジェスチャに応じて発電部が発電するとともに、発電部が生成する信号によってコントロール信号が形成されるようにしてもよい。
【０２００】
発電部を熱電変換によって発電する構成とし、発電部を頭部に取り付け可能としてもよい。発電部を熱電変換および変位によって発電する構成とし、発電部を首に取り付け可能としてもよい。発電部を電磁誘導によって発電する構成とし、発電部を腰部に取り付け可能としてもよい。発電部を逆磁歪によって発電する構成とし、発電部を大腿部に取り付け可能としてもよい。発電部の発電方式および発電部が取り付けられる位置は、適宜変更することができる。
【０２０１】
発電部、制御部等の構成を全てヘッドセットに設けてもよい。ヘッドセットにおける発電部の発電方式は、太陽光発電や太陽光発電と熱電発電との組合せや太陽光発電と振動発電との組合せなどの方式を採用できる。
【０２０２】
モーションに対応するコントロール内容は適宜、変更できる。例えば、１回の足踏み動作に応じて音楽コンテンツの音量レベルを上げるコントロールがなされてもよい。２回の足踏み動作に応じて音楽コンテンツの音量レベルを下げるコントロールがなされてもよい。上述した携帯型音楽再生機は、靴に限らず衣服に組み込まれてもよい。
【０２０３】
上述した複数の実施形態および変形例における構成、処理の内容等については、技術的矛盾が生じない範囲で相互に適用することができる。本開示において、必須でない構成は適宜、省略することができる。さらに、本開示の構成および処理の全部または一部は、装置のほか、方法、プログラム、プログラムを記録した記録媒体として構成することもできる。
【０２０４】
なお、本開示は、例えば、以下の構成をとることもできる。
（１）
信号処理部と、
前記信号処理部に対してコントロール信号を供給するコントローラと、
電力としての電気信号を生成し、前記生成する電気信号を前記信号処理部に供給する発電部と
を備える携帯型電子機器。
（２）
前記発電部が生成する前記電気信号によって、前記コントロール信号が形成される請求項１に記載の携帯型電子機器。
（３）
前記発電部は、足を踏み込む動作と、足を持ち上げる動作とからなる足踏み動作に応じて前記電気信号を生成する（１）または（２）に記載の携帯型電子機器。
（４）
少なくとも前記発電部が靴に装着される（１）乃至（３）のいずれか１に記載の携帯型電子機器。
（５）
前記信号処理部は、コンテンツを再生する処理を行い、前記発電部の発電状況に応じて前記再生するコンテンツを選択する（１）乃至（４）のいずれか１に記載の携帯型電子機器。
（６）
前記信号処理部は、コンテンツを再生する処理を行い、前記発電部の発電状況に応じて前記コンテンツの再生態様を変化させる（１）乃至（４）のいずれか１に記載の携帯型電子機器。
（７）
コンテンツを再生する処理を行う信号処理部と、
電力としての電気信号を生成し、前記電気信号を蓄電部に供給する発電部と
を備え、
前記信号処理部は、前記蓄電部の残容量に応じて前記コンテンツの再生態様を変化させる携帯型電子機器。
（８）
前記発電部が生成する前記電気信号によって、前記信号処理部に対するコントロール信号が形成される（７）に記載の携帯型電子機器。
（９）
信号処理部と、コントローラと、発電部とを備える携帯型電子機器における信号処理方法であり、
前記コントローラから出力されるコントロール信号が前記信号処理部に供給され、
前記発電部によって生成される電力としての電気信号が、前記信号処理部に供給される信号処理方法。
（１０）
信号処理部によってコンテンツを再生し、
発電部によって電力としての電気信号を生成し、前記電気信号を蓄電部に供給し、
前記蓄電部の残容量に応じて、前記コンテンツの再生態様を変化させる再生方法。
【符号の説明】
【０２０５】
１０、２０、３０、４０、５０、６０、７０、８０・・・携帯型音楽再生機
１１・・・制御部
１３・・・操作部
１８・・・発電部
１９・・・蓄電部
５１・・・発電状況取得部
７１・・・残容量取得部
１００・・・コントロール信号生成ブロック
【図１】
2013027253.tif 000003
【図２】
2013027253.tif 000004
【図３】
2013027253.tif 000005
【図４】
2013027253.tif 000006
【図５】
2013027253.tif 000007
【図６】
2013027253.tif 000008
【図７】
2013027253.tif 000009
【図８】
2013027253.tif 000010
【図９】
2013027253.tif 000011
【図１０】
2013027253.tif 000012
【図１１】
2013027253.tif 000013
【図１２】
2013027253.tif 000014
【図１３】
2013027253.tif 000015
【図１４】
2013027253.tif 000016
【図１５】
2013027253.tif 000017
【図１６】
2013027253.tif 000018
【図１７】
2013027253.tif 000019
【図１８】
2013027253.tif 000020
【図１９】
2013027253.tif 000021
【図２０】
2013027253.tif 000022
【図２１】
2013027253.tif 000023
【図２２】
2013027253.tif 000024